(57)【要約】【課題】コンピュータ装置と画像投影装置との通信接続作業を容易にすること。【解決手段】コンピュータ装置４から無線通信により送信される画像データを受信し、画像データに応じた画像を投影する画像投影装置３の動作を遠隔制御する遠隔操作装置２と、コンピュータ装置４及び遠隔操作装置２のいずれにも通信接続可能なデバイス１とを設け、遠隔操作装置２に画像投影装置３とコンピュータ装置４の無線通信に必要な無線設定情報を生成し、所定のタイミングで無線設定情報をデバイス１に書き込んで、デバイス１を介してコンピュータ装置４に無線設定情報を通知し、一方、無線設定情報を画像投影装置３へ赤外線通信により通知する。【選択図】図３
2008165007.tif 000002
【特許請求の範囲】
【請求項１】
外部のコンピュータ装置から無線通信により送信される画像データを受信する無線部を有し、前記画像データに応じた画像を投影する画像投影装置と、この画像投影装置の動作を遠隔制御する遠隔操作装置と、前記コンピュータ装置及び前記遠隔操作装置のいずれにも通信接続可能なデバイスとを備えた画像投影システムにおいて、
前記遠隔操作装置は、
前記画像投影装置と前記コンピュータ装置間の無線通信に必要な無線設定情報を生成する無線設定情報生成手段と、
所定のタイミングで前記無線設定情報を前記デバイスに書き込む無線設定情報書込手段と、
前記デバイスに書き込んだ無線設定情報を前記画像投影装置へ通知する通知手段と、を有し、
前記デバイスは、
前記遠隔操作装置によって書き込まれた前記無線設定情報を前記コンピュータ装置へ出力する制御部を有する
ことを特徴とする画像投影システム。
【請求項２】
前記遠隔操作装置は、
前記デバイスと接続するコネクタを有し、
前記無線設定情報書込手段は、
前記無線設定情報を前記コネクタを介して前記デバイスに書き込む
ことを特徴とする請求項１に記載の画像投影システム。
【請求項３】
前記無線設定情報生成手段は、
前記コネクタに前記デバイスが接続されたとき、前記無線設定情報を更新する
ことを特徴とする請求項２に記載の画像投影システム。
【請求項４】
前記所定のタイミングは、前記コネクタに前記デバイスが接続されたことを検出したときであることを特徴とする請求項２又は請求項３に記載の画像投影システム。
【請求項５】
前記遠隔操作装置は、ワイヤレス信号を送信するワイヤレス送信部を有し、前記デバイスは前記遠隔操作装置からのワイヤレス信号を受信するワイヤレス受信部を有しており、
前記無線設定情報書込手段は、
前記デバイスへワイヤレス信号により前記無線設定情報を送信することによって、前記デバイスへの前記無線設定情報の書き込みを行う
ことを特徴とする請求項１に記載の画像投影システム。
【請求項６】
前記遠隔操作装置は、
前記画像投影装置の起動指示及び／又は停止指示を行うための起動制御指示部を有し、
前記無線設定情報生成手段は、
前記起動制御指示部が操作されたとき、前記無線設定情報を更新する
ことを特徴とする請求項１〜５のいずれか１項に記載の画像投影システム。
【請求項７】
前記所定のタイミングは、前記起動制御指示部が操作されたときである
ことを特徴とする請求項６に記載の画像投影システム。
【請求項８】
前記デバイスは、
前記コンピュータ装置に接続するコネクタと、
前記コネクタを前記コンピュータ装置に接続したときに、前記遠隔操作装置から書き込まれた前記無線設定情報に基づいた設定により前記画像投影装置の無線部と通信を行う無線通信部と、
画像データを前記無線通信部を介して前記画像投影装置へ送信する画像送信手段としての機能を前記コンピュータ装置に実行させるプログラムを格納するプログラム格納部と、を有する
ことを特徴とする請求項１〜７のいずれか１項に記載の画像投影システム。
【請求項９】
前記無線設定情報には、前記無線通信部を機能させる有効時間を含み
前記画像送信手段は、前記有効時間が経過したと判定すると、前記無線通信部の機能を停止する
ことを特徴とする請求項８に記載の画像投影システム。
【請求項１０】
前記画像投影装置は、
前記遠隔操作装置からのワイヤレス信号を受信するワイヤレス受信部と、
前記遠隔操作装置から前記ワイヤレス受信部を介して前記無線設定情報を受信すると、前記無線部を動作状態にし、その後前記無線部を介して前記コンピュータ装置と無線通信中か否かを判定し、前記コンピュータ装置と無線通信中ではないと判定した状態が一定状態継続したとき、前記無線部を非動作状態にする制御部と、
ことを特徴とする請求項１〜９のいずれか１項に記載の画像投影システム。
【請求項１１】
前記遠隔操作装置は、
前記無線設定情報書込手段によって同一の前記無線設定情報を前記デバイスに書き込むことができる書き込み回数を設定する書き込み回数設定手段を有し、
前記無線設定情報生成手段は、前記無線設定情報書込手段によって前記無線設定情報が前記書き込み回数を超えたとき、前記無線設定情報の更新を行う
ことを特徴とする請求項１〜１０のいずれか１項に記載の画像投影システム。
【請求項１２】
前記遠隔操作装置は、
前記無線設定情報生成手段による前記無線設定情報の更新を抑制する更新抑制手段を有し、
前記無線設定情報生成手段は、前記更新抑制手段が操作されたことを検出すると、前記無線設定情報の更新を行わない
ことを特徴とする請求項１〜１１のいずれか１項に記載の画像投影システム。
【請求項１３】
外部のコンピュータ装置から無線通信により送信される画像データを受信する無線部を有し、前記画像データに応じた画像を投影する画像投影装置と、この画像投影装置の動作を遠隔制御する遠隔操作装置と、前記コンピュータ装置及び前記遠隔操作装置のいずれにも接続可能なデバイスとを備えた画像投影システムにおける前記遠隔操作装置において、
前記画像投影装置と前記コンピュータ装置間の無線通信に必要な無線設定情報を生成する無線設定情報生成手段と、
所定のタイミングで前記無線設定情報を前記デバイスに書き込む無線設定情報書込手段と、
前記デバイスに書き込んだ無線設定情報を前記画像投影装置へ通知する通知手段と、を有することを特徴とする遠隔操作装置。
【発明の詳細な説明】
【技術分野】
【０００１】
本発明は、画像投影装置を遠隔制御する遠隔操作装置及びこの遠隔操作装置を備えた画像投影システムに関する。
【背景技術】
【０００２】
従来より、コンピュータ装置等から画像データを入力して液晶表示素子に当該画像を表示し、光を照射して投影スクリーン上に拡大投影するプロジェクタなどの画像投影装置が広く使用されている。また、ＤＭＤ（Ｄｉｇｉｔａｌ  Ｍｉｃｒｏｍｉｒｒｏｒ  Ｄｅｖｉｃｅ）素子を用いて画像データに基づいた画像を投影する画像投影装置もある。
【０００３】
この画像投影装置は、会議における小規模のプレゼンテーションや、多数の聴衆を集めて自分の研究成果を発表する大規模のプレゼンテーション等において、多様に使用されている。このようなプレゼンテーションは、プレゼンテーターの手前にコンピュータ装置を配置し、このコンピュータ装置の表示部に表示している画像に応じた画像データを、コンピュータ装置からケーブルを介して画像投影装置へ送信し、画像投影装置が画像データに基づいた画像を拡大投射することによって行われる。
【０００４】
ところで、画像投影装置で画像を投影するためには、上述のようにコンピュータ装置と画像投影装置とをケーブルによって接続する必要がある。そのため、ケーブルの準備や接続の作業が発生し煩雑になる。しかも、プレゼンテーターのコンピュータ装置と画像投影装置との距離に応じたケーブルを用意する必要がある。
【０００５】
そこで、近年、ＩＥＥＥ８０２．１１ａ／ｂ／ｇなどの無線ＬＡＮ（Ｌｏｃａｌ  Ａｒｅａ  Ｎｅｔｗｏｒｋ）に対応した画像投影装置が提供されてきており、コンピュータ装置から画像投影装置への画像データの送信を無線通信によって行うことによって、利便性を向上させている。
【０００６】
ところで、コンピュータ装置を無線ＬＡＮ対応の画像投影装置に無線接続するためには、コンピュータ装置と画像投影装置のそれぞれについて無線通信の設定を行う必要がある。しかし、無線通信の設定にはある程度の知識を要し、容易に設定することができない場合も多い。そこで、この無線通信の設定の作業性を向上させるものが提案されている。
【０００７】
例えば、特許文献１では、画像投影装置において、ＷＥＰ（Ｗｉｒｅｄ  Ｅｑｕｉｐｍｅｎｔ  Ｐｒｉｖａｃｙ）キーなどの無線通信の設定情報をスクリーンに投影し、コンピュータ装置の利用者がスクリーンに投影された設定情報を見ながら、コンピュータ装置へ入力することによって、コンピュータ装置と画像投影装置との無線接続を確立する技術が提案されている。
【０００８】
また、特許文献２では、ＵＳＢコネクタを備えた情報記憶媒体によって、コンピュータ装置に設定されている無線通信の設定情報をＵＳＢコネクタを介して読み取り、その後、情報記憶媒体をＵＳＢコネクタを介して画像投影装置に接続することにより、コンピュータ装置から読み取った無線通信の設定情報を画像投影装置に設定する技術が提案されている。
【０００９】
また、特許文献３では、画像投影装置における無線通信の設定情報と同一の情報を記憶すると共にドライバプログラムを記憶したＵＳＢメモリと、無線接続モジュールとを画像投影装置と同梱して販売し、コンピュータ装置にＵＳＢメモリを接続して、無線通信の設定情報とドライバプログラムとをコンピュータ装置に自動的に収納し、その後無線接続モジュールを接続することによって、画像投影装置とコンピュータ装置との無線接続を確立する技術が提案されている。
【特許文献１】特開２００３−０６９９２３号公報
【特許文献２】特開２００５−２０２７５４号公報
【特許文献３】特開２００５−２８５０９１号公報
【発明の開示】
【発明が解決しようとする課題】
【００１０】
しかしながら、特許文献１に記載の技術では、画像投影装置における無線通信の設定情報を視覚的に把握することができるものの、コンピュータ装置への無線通信の設定情報は手動で行わなければならず、ある程度の知識と時間が必要である。
【００１１】
また、特許文献２に記載の技術では、無線通信の設定情報を手動で入力する必要がない点で利点があるが、コンピュータ装置に設定されている無線通信の設定情報を画像投影装置に設定することになることから、例えば、会議などで画像投影装置に投影させる画像を出力するコンピュータ装置を切り替えなければならないときには、切り替え先のコンピュータ装置にＵＳＢコネクタを備えた情報記憶媒体を接続した後、さらに、画像投影装置に接続する必要があり、設定作業が煩雑となって時間がかかってしまう。しかも、コンピュータ装置に、予めＷＥＰキーなどの暗号情報の設定やアクセスポイントとしての設定などを手動で行わなければならず、特許文献１の記載の技術と同様に、ある程度の知識と時間が必要である。
【００１２】
また、特許文献３に記載の技術では、画像投影装置における無線通信の設定情報と同一の情報を記憶したＵＳＢメモリをコンピュータ装置に接続することにより、コンピュータ装置に無線通信の設定を自動で行うことができる点で特許文献１及び特許文献２に比べて優れているが、画像投影装置における無線通信の設定情報は、固定であることから、一旦無線通信の設定情報が漏洩してしまうと、画像投影装置とコンピュータ装置との無線通信を傍受されてしまう恐れがあり、セキュリティ上問題がある。例えば、画像投影装置を複数グループで共用する場合など、第１のグループが使った後でも無線通信の設定情報は第１のグループのコンピュータ装置に残っているので、次の第２のグループが画像投影装置を使用開始しても、第１のグループから継続して無線通信が可能となり、セキュリティ上問題があった。
【課題を解決するための手段】
【００１３】
そこで、本発明はかかる課題を解決するために、請求項１に記載の発明は、外部のコンピュータ装置から無線通信により送信される画像データを受信する無線部を有し、前記画像データに応じた画像を投影する画像投影装置と、この画像投影装置の動作を遠隔制御する遠隔操作装置と、前記コンピュータ装置及び前記遠隔操作装置のいずれにも通信接続可能なデバイスとを備えた画像投影システムにおいて、前記遠隔操作装置は、前記画像投影装置と前記コンピュータ装置間の無線通信に必要な無線設定情報を生成する無線設定情報生成手段と、所定のタイミングで前記無線設定情報を前記デバイスに書き込む無線設定情報書込手段と、前記デバイスに書き込んだ無線設定情報を前記画像投影装置へ通知する通知手段とを有し、前記デバイスは、前記遠隔操作装置によって書き込まれた前記無線設定情報を前記コンピュータ装置へ出力する制御部を有することを特徴とする。
【００１４】
また、請求項２に記載の発明は、請求項１に記載の発明において、前記遠隔操作装置は、前記デバイスと接続するコネクタを有し、前記無線設定情報書込手段は、前記無線設定情報を前記コネクタを介して前記デバイスに書き込むことを特徴とする。
【００１５】
また、請求項３に記載の発明は、請求項２に記載の発明において、前記無線設定情報生成手段は、前記コネクタに前記デバイスが接続されたとき、前記無線設定情報を更新することを特徴とする。
【００１６】
また、請求項４に記載の発明は、請求項２又は請求項３に記載の発明において、前記所定のタイミングは、前記コネクタに前記デバイスが接続されたことを検出したときであることを特徴とする。
【００１７】
また、請求項５に記載の発明は、請求項１に記載の発明において、前記遠隔操作装置はワイヤレス信号を送信するワイヤレス送信部を有し、前記デバイスは前記遠隔操作装置からのワイヤレス信号を受信するワイヤレス受信部を有しており、前記無線設定情報書込手段は、前記デバイスへワイヤレス信号により前記無線設定情報を送信することによって、前記デバイスへの前記無線設定情報の書き込みを行うことを特徴とする。
【００１８】
また、請求項６に記載の発明は、請求項１〜５のいずれか１項に記載の発明において、前記遠隔操作装置は、前記画像投影装置の起動指示及び／又は停止指示を行うための起動制御指示部を有し、前記無線設定情報生成手段は、前記起動制御指示部が操作されたとき、前記無線設定情報を更新することを特徴とする。
【００１９】
また、請求項７に記載の発明は、請求項６に記載の発明において、前記所定のタイミングは、前記起動制御指示部が操作されたときであることを特徴とする。
【００２０】
また、請求項８に記載の発明は、請求項１〜７のいずれか１項に記載の発明において、前記デバイスは、前記コンピュータ装置に接続するコネクタと、前記コネクタを前記コンピュータ装置に接続したときに、前記遠隔操作装置から書き込まれた前記無線設定情報に基づいた設定により前記画像投影装置の無線部と通信を行う無線通信部と、画像データを前記無線通信部を介して前記画像投影装置へ送信する画像送信手段としての機能を前記コンピュータ装置に実行させるプログラムを格納するプログラム格納部とを有することを特徴とする。
【００２１】
また、請求項９に記載の発明は、請求項８に記載の発明において、前記無線設定情報には、前記無線通信部を機能させる有効時間を含み、前記画像送信手段は、前記有効時間が経過したと判定すると、前記無線通信部の機能を停止することを特徴とする。
【００２２】
また、請求項１０に記載の発明は、請求項１〜９のいずれか１項に記載の発明において、前記画像投影装置は、前記遠隔操作装置からのワイヤレス信号を受信するワイヤレス受信部と、前記遠隔操作装置から前記ワイヤレス受信部を介して前記無線設定情報を受信すると、前記無線部を動作状態にし、その後前記無線部を介して前記コンピュータ装置と無線通信中か否かを判定し、前記コンピュータ装置と無線通信中ではないと判定した状態が一定状態継続したとき、前記無線部を非動作状態にする制御部とことを特徴とする。
【００２３】
また、請求項１１に記載の発明は、請求項１〜１０のいずれか１項に記載の発明において、前記遠隔操作装置は、前記無線設定情報書込手段によって同一の前記無線設定情報を前記デバイスに書き込むことができる書き込み回数を設定する書き込み回数設定手段を有し、前記無線設定情報生成手段は、前記無線設定情報書込手段によって前記無線設定情報が前記書き込み回数を超えたとき、前記無線設定情報の更新を行うことを特徴とする。
【００２４】
また、請求項１２に記載の発明は、請求項１〜１１のいずれか１項に記載の発明において、前記遠隔操作装置は、前記無線設定情報生成手段による前記無線設定情報の更新を抑制する更新抑制手段を有し、前記無線設定情報生成手段は、前記更新抑制手段が操作されたことを検出すると、前記無線設定情報の更新を行わないことを特徴とする。
【００２５】
また、請求項１３に記載の発明は、外部のコンピュータ装置から無線通信により送信される画像データを受信する無線部を有し、前記画像データに応じた画像を投影する画像投影装置と、この画像投影装置の動作を遠隔制御する遠隔操作装置と、前記コンピュータ装置及び前記遠隔操作装置のいずれにも接続可能なデバイスとを備えた画像投影システムにおける前記遠隔操作装置において、前記画像投影装置と前記コンピュータ間の無線通信に必要な無線設定情報を生成する無線設定情報生成手段と、所定のタイミングで前記無線設定情報を前記デバイスに書き込む無線設定情報書込手段と、前記デバイスに書き込んだ無線設定情報を前記画像投影装置へ通知する通知手段とを有することを特徴とする。
【発明の効果】
【００２６】
請求項１，１３に記載の発明における遠隔操作装置は、前記画像投影装置と前記コンピュータ間の無線通信に必要な無線設定情報を生成する無線設定情報生成手段と、所定のタイミングで前記無線設定情報を前記デバイスに書き込む無線設定情報書込手段と、前記デバイスに書き込んだ無線設定情報を前記画像投影装置へ通知する通知手段とを備えたので、遠隔操作装置によって設定された無線通信の設定情報に基づいて、画像投影装置とコンピュータ装置との間の通信を行うことができ、機密性の高い無線デバイス或いは画像投影システムを提供することが可能となる。しかも、遠隔操作装置で無線設定情報を生成しており、遠隔操作装置からデバイスと画像投影装置とへ無線設定情報の送信を同時に行うことができるため、無線設定情報の設定時間を短縮することができる。
【００２７】
また、請求項２に記載の発明によれば、デバイスへの無線設定情報の書き込みをコネクタを介して行うため、確実に無線設定情報の書き込みを行うことができる。
【００２８】
また、請求項３に記載の発明によれば、コネクタにデバイスが接続されたとき、無線設定情報を更新するので、例えば、プレゼンテーションなどの会議に画像投影装置を使用され、不特定多数の参加者のコンピュータ装置が用いられる場合であっても、以前に画像投影装置を使用したコンピュータ装置から誤って画像データが送信され、画像投影装置から送信されることを回避することができる。
【００２９】
また、請求項４に記載の発明によれば、所定のタイミングを、コネクタにデバイスが接続されたことを検出したときとしたので、無線設定情報の書き込みを確実に行うことができる。
【００３０】
また、請求項５に記載の発明によれば、デバイスへの無線設定情報の書き込みを赤外線信号などのワイヤレス信号を用いて行うため、無線設定情報の書き込みを容易に行うことができる。従って、画像投影装置が複数ある場合にその切替設定が容易となる。
【００３１】
また、請求項６に記載の発明によれば、起動制御指示部が操作されたとき、すなわち、画像投影装置の起動指示又は停止指示が行われたときに、無線設定情報を更新するので、画像投影装置が使用される毎に無線設定情報の更新が可能となる。従って、プレゼンテーションなどの会議に画像投影装置を使用され、不特定多数の参加者のコンピュータ装置が用いられる場合であっても、以前に画像投影装置を使用したコンピュータ装置から誤って画像データが送信され、画像投影装置から送信されることを回避することができる。
【００３２】
また、請求項７に記載の発明によれば、起動制御指示部が操作されたとき、デバイスへの無線設定情報の書き込みを行うので、画像投影装置の起動とデバイスへの無線設定の書き込みを同時に行うことができ、画像投影装置においてコンピュータ装置から送信される画像データをより迅速に投影することができることになる。
【００３３】
また、請求項８に記載の発明によれば、デバイスをコンピュータ装置へ接続することにより、このコンピュータ装置が画像投影装置に画像データを無線通信部を介して送信する画像送信手段として機能することになり、デバイスを用いての無線通信設定を容易に行うことができる。
【００３４】
また、請求項９に記載の発明によれば、無線設定情報には、無線通信部を機能させる有効時間を含むので、無線設定情報の更新が行われない場合であっても、コンピュータ装置と無線部との意図しない通信を回避することができると共に、無線部を停止することにより消費電力を低減することができる。
【００３５】
また、請求項１０に記載の発明によれば、画像投影装置は、コンピュータ装置と無線通信中ではないと判定した状態が一定状態継続したとき、所定期間以上コンピュータ装置と画像投影装置との通信がないので、一つのプレゼンテーションが終了したと判定することができる。従って、プレゼンテーション毎に暗号キーを変更することができる。
【００３６】
また、請求項１１に記載の発明によれば、同一の無線設定情報をデバイスに書き込むことができる書き込み回数を設定することができるので、複数のコンピュータ装置から画像投影装置へ画像データを送信することが可能となり、会議に応じた適切な画像投影システムを提供することが可能となる。
【００３７】
また、請求項１２に記載の発明によれば、遠隔操作装置に配置された更新抑制手段の操作により無線設定情報の更新を抑制することができるので、同一の無線設定情報をデバイスに書き込むことができ、複数のコンピュータ装置から画像投影装置へ画像データを送信することが可能となり、会議に応じた適切な画像投影システムを提供することが可能となる。
【発明を実施するための最良の形態】
【００３８】
（画像投影システムＳの概要）
以下、本発明の実施の形態について、図面を参照しながら説明する。図１は本実施形態における画像投影システムＳの全体構成図、図２は本実施形態における画像投影システムＳにおける概略動作を説明するための図、図３は無線デバイスの外観図、図４は本実施形態における遠隔操作装置の外観図である。
【００３９】
図１に示すように、本実施形態における画像投影システムＳは、無線デバイス１（デバイスの一例に相当）と、この無線デバイス１と通信接続可能であり、後述の画像投影装置３の動作を遠隔制御する遠隔操作装置２と、外部から入力される画像データに応じた画像をスクリーンに投影する画像投影装置３と、この画像投影装置３へ画像データを送信するパーソナルコンピュータ４（以下、「コンピュータ装置４」とする。）とを備えている。無線デバイス１は、コンピュータ装置４の無線部としての機能とメモリとしての機能を有するＵＳＢドングルである。コンピュータ装置４は、無線デバイス１における後述のＵＳＢコネクタ１０５（図３参照）を接続することによって、無線デバイス１を無線部として機能させ、無線デバイス１を介して画像投影装置３に画像データを送信する。画像投影装置３は、コンピュータ装置４から無線デバイス１を介して無線通信により送信される画像データを受信して、この画像データに応じた画像をスクリーンに投影する。
【００４０】
ここで、無線デバイス１と画像投影装置３との間の無線通信は、ＩＥＥＥ８０２．１１ａ／ｂ／ｇなどの無線ＬＡＮ（Local Area Network）規格を満たすことができるように、無線デバイス１及び画像投影装置３は、それぞれ無線ＬＡＮ規格に準拠した無線部を有している。
【００４１】
無線ＬＡＮにおいては、上述のように無線通信を行うための設定を予め行わなければならい。設定しなければならない無線通信の設定情報（以下、「無線設定情報」とする。）としては、ネットワーク名であるＳＳＩＤ（Extended Service Set Identifier）や暗号キーであるＷＥＰ（Wired Equipment Privacy）キーなどがあり、ある程度知識がなければ設定することができず、その作業も煩雑である。
【００４２】
そこで、本実施形態における画像投影システムＳにおいては、無線デバイス１に無線設定情報を記憶させる無線設定情報記憶部を設けており、これにより無線設定情報の設定を自動的に行うこととしている。しかも、所定のタイミングで暗号キーなどを変更するようにしており、秘匿性を向上させている。
【００４３】
ここで、画像投影システムＳにおける無線通信の設定手順を簡単に説明する。図２は、本実施形態における無線通信の設定手順を説明するための図である。
【００４４】
図２（ａ）に示すように、無線デバイス１のＵＳＢコネクタ１０５を遠隔操作装置２のＵＳＢコネクタ２０１に接続する。遠隔操作装置２は、無線デバイス１がＵＳＢコネクタ２０１を介して接続されたことを検出すると、無線デバイス１において画像投影装置３の無線部との通信に必要な無線設定情報をＵＳＢコネクタ２０１を介して無線デバイス１の無線設定情報記憶部に書き込む。このとき、無線デバイス１の書き込み中ランプ１５０（図３参照）が点滅し、利用者には無線設定情報を書き込み中であることが知らせられる。また、無線デバイス１へ書き込む無線設定情報は遠隔操作装置２において生成される。
【００４５】
遠隔操作装置２が無線デバイス１へ無線設定情報を書き込むタイミングは、無線デバイス１のＵＳＢコネクタ１０５が遠隔操作装置２のＵＳＢコネクタ２０１に接続されたときのほか、遠隔操作装置２に設けられた後述の起動制御ボタン２３１（図４参照）が操作されたときなどとすることができる。なお、起動制御ボタン２３１は、画像投影装置３の起動指示と停止指示を行うためのボタンであり、遠隔操作装置２は起動制御ボタン２３１が操作される毎に画像投影装置３への起動指示と停止指示とを交互に繰り返す。但し、起動指示を行う起動制御ボタンと停止指示を行う停止制御ボタンとを遠隔操作装置２にそれぞれ設けるようにしてもよい。
【００４６】
なお、無線デバイス１が特定のデバイスでないときには、無線設定情報の書き込みは行われない。これは、接続されたデバイスがどのようなデバイスであっても書き込むことにすると、粗悪な無線デバイス１の不正規品（コピー品など）によって画像投影システムＳの動作が不安定となることを回避するためであり、専用のデバイスのみを無線デバイスとして用いることができるようにしている。接続されたデバイスが、専用の無線デバイス１であるか否かは、画像投影装置３が、そのデバイスに付与されている識別情報をデバイスから読み込み、例えば、この識別情報のうちメーカを示す部が特定の情報であることを検出することによって判断することができる。
【００４７】
無線デバイス１への無線設定情報の書き込みが終了すると、書き込み中ランプ１５０の点滅が終了するので、図２（ｂ）に示すように、無線デバイス１のＵＳＢコネクタ１０５を遠隔操作装置２から取り外して、今度はコンピュータ装置４のＵＳＢコネクタ４０１に接続する。
【００４８】
コンピュータ装置４のＵＳＢコネクタ４０１に無線デバイス１のＵＳＢコネクタ１０５が接続されると、コンピュータ装置４は無線デバイス１のプログラム格納部に格納されたデバイスドライバプログラム（以下、「デバイスドライバ」と略す。）、無線設定アプリケーションプログラム（以下、「無線設定アプリケーション」と略す。）及び画像転送アプリケーションプログラム（以下、「画像転送アプリケーション」と略す。）をインストールする。コンピュータ装置４の制御部は、無線設定アプリケーションの実行により、無線デバイス１に対して遠隔操作装置２によって書き込まれた無線設定情報の出力を要求する。無線デバイス１の制御部は、無線デバイス１の無線設定情報記憶部から無線設定情報を取り出し、この無線設定情報をＵＳＢコネクタ１０５を介してコンピュータ装置４へ出力する。コンピュータ装置４は、無線デバイス１から出力された無線設定情報を取得し、この無線設定情報をデバイスドライバを用いて無線デバイス１の無線通信部に設定する。無線デバイス１は、このように無線通信部により設定された無線設定情報、言い換えれば遠隔操作装置２によって書き込まれた無線設定情報に基づいて画像投影装置３の無線部と通信を行うことが可能となる。また、コンピュータ装置４の制御部は、画像転送アプリケーションの実行により、画像投影装置３に画像データを無線通信部を介して送信する画像送信手段として機能することになる。
【００４９】
一方、遠隔操作装置２は、無線デバイス１に書き込んだ無線設定情報を画像投影装置３へ赤外線通信によって通知する。画像投影装置３は、遠隔操作装置２から通知された無線設定情報を赤外線受光部３１０で受信し、自装置の無線部に設定する。このように遠隔操作装置２と画像投影装置３との間の通信を赤外線で行うようにしているために、第三者からの盗聴を防止することができる。なお、ここでは、遠隔操作装置２と画像投影装置３との通信を赤外線通信としているが、ワイヤレス信号を用いたワイヤレス通信であれば、電波信号を用いた電波通信であってもよい。すなわち、遠隔操作装置２はワイヤレス信号を送信するワイヤレス送信部を有し、画像投影装置３は遠隔操作装置２からのワイヤレス信号を受信するワイヤレス受信部を有している。本実施形態においては、ワイヤレス通信の一例として、赤外線通信を例に挙げて説明する。
【００５０】
遠隔操作装置２から画像投影装置３へ無線設定情報を通知するタイミングは、後述の情報送信ボタン２３７（図４参照）が操作されたときのほか、無線デバイス１のＵＳＢコネクタ１０５が遠隔操作装置２のＵＳＢコネクタ２０１から取り外されたとき、遠隔操作装置２に設けられた起動制御ボタン２３１が操作されたときなどとすることができる。
【００５１】
このように遠隔操作装置２は、無線設定情報を無線デバイス１を介してコンピュータ装置４へ書き込みを行うと共に、赤外線通信などのワイヤレス通信によって画像投影装置３へ通知するので、利用者は容易に画像投影装置３及び無線デバイス１の無線設定情報を合わせることができ、機密性を高めつつも、無線デバイス１を接続したコンピュータ装置４と画像投影装置３との間で無線通信が可能となる。
【００５２】
その後、図２（ｃ）に示すように、コンピュータ装置４の画像転送アプリケーションの実行によりコンピュータ装置４から無線デバイス１を介して、画像投影装置３へ画像データが送信され、画像投影装置３ではその画像データに基づいた画像をスクリーンに投影する。
【００５３】
また、遠隔操作装置２によって無線デバイス１に設定される無線設定情報には、無線デバイス１の無線部（後述の無線通信部１０７）を機能させる有効時間が含まれる。コンピュータ装置４の画像転送アプリケーションは、この有効時間を読み取ることにより、無線デバイス１の無線部による無線通信を行うことができる時間を制限する。すなわち、画像転送アプリケーションは、この有効時間が経過したと判定すると、無線通信部の機能を停止する。
【００５４】
コンピュータ装置４の画像転送アプリケーションは、画像投影装置３から送信される時刻情報を受信する機能を有しており、この時間情報と無線デバイス１から読み出した有効時間とに基づき、有効時間が経過したか否かを判定する。有効時間が経過したと判定した場合には、無線デバイス１の無線通信部の機能を停止する。
【００５５】
また、画像投影装置３は、遠隔操作装置２からの赤外線信号によって無線設定情報を受信すると、自装置の無線部を動作状態にし、その後無線部を介してコンピュータ装置４と無線通信中か否かを判定し、コンピュータ装置４と無線通信中ではないと判定した状態が一定状態継続したとき、自装置の無線部を非動作状態にする。なお、画像投影装置３がコンピュータ装置４と無線通信中であるとは、コンピュータ装置４から画像投影装置３へ画像データを送信している状態のみではなく、コンピュータ装置４と画像投影装置３との無線リンクが確立している状態も含む。
【００５６】
ところで、遠隔操作装置２が無線デバイス１に書き込む無線設定情報が常に一定では、セキュリティ上好ましくない。また、無線デバイス１を外し忘れたコンピュータ装置４から意図しない画像データが画像投影装置３に送信されてしまう恐れがある。そこで、遠隔操作装置２は無線設定情報のうち少なくとも暗号キーを更新する。
【００５７】
すなわち、遠隔操作装置２は無線設定情報を更新することができるように構成されており、無線デバイス１を接続したコンピュータ装置４と画像投影装置３との間の無線通信の機密性を高めることができる。遠隔操作装置２が無線設定情報を更新するタイミングは、無線デバイス１が遠隔操作装置２に接続されたときのほか、遠隔操作装置２に設けられた起動制御ボタン２３１が操作されたときなどがとすることができる。
【００５８】
ところで、複数のコンピュータ装置４から画像投影装置３へ画像データを送信するような場合、複数の無線デバイス１に無線設定情報を書き込む必要があるが、無線デバイス１が遠隔操作装置２に接続されたときに無線設定情報が更新されてしまうと、複数の無線デバイス１に異なる無線設定情報が書き込まれることになる。
【００５９】
そこで、遠隔操作装置２において、同一の無線設定情報をデバイスに書き込むことができる回数を設定できるようにしている。このように回数を設定する方法として、遠隔操作装置２においては、更新ボタン２３２の連続操作回数でこの書き込み回数を設定する方法や、更新ボタン２３２ではなく、十字キー２３３などを用いて書き込み回数を設定する方法などがある。
【００６０】
（各装置の構成及び動作の説明）
以上のように構成される画像投影システムＳについて、その構成及び動作についてさらに詳細に説明する。以下、本発明の実施の形態における無線デバイス１、遠隔操作装置２、画像投影装置３及びコンピュータ装置４のそれぞれの具体的構成及び動作を説明する。
【００６１】
（無線デバイス１について）
まず、無線デバイス１の構成及び動作について説明する。図５は無線デバイス１のブロック図、図６は無線デバイス１の機能ブロック図、図７はメモリコントローラ機能部のブロック図である。
【００６２】
無線デバイス１は、図５に示すように、ＣＰＵ（Central Processing Unit）１０１、ＲＡＭ(Random Access Memory)１０２、ＲＯＭ(Read Only Memory)１０３、フラッシュメモリ１０４、ＵＳＢコネクタ１０５、ＵＳＢ接続回路１０６、無線通信部１０７、操作部１０８、報知部１０９などから構成されており、持ち運び可能にコンパクトに設計されている。
【００６３】
ＣＰＵ１０１は、ＲＯＭ１０３に格納された制御プログラムを読み出して実行することによって、無線デバイス１の制御部として機能する。また、ＲＯＭ１０３には、識別情報（例えば、ＭＡＣアドレス）が格納されており、ＣＰＵ１０１の制御により、ＵＳＢコネクタ１０５を介して、遠隔操作装置２やコンピュータ装置４へこの識別情報を送信することができる。
【００６４】
ＲＡＭ１０２は、ＣＰＵ１０１によってワーキングメモリなどとして使用される。また、フラッシュメモリ１０４は、無線設定情報などを格納する無線設定情報記憶部等として機能する。
【００６５】
ここで、無線設定情報には、図８に示すように、無線ＬＡＮ規格種別（バンド）、ネットワークモード、ネットワーク名（ＥＳＳＩＤ）、無線チャンネル、認証レベル、暗号化レベル、データ暗号化方式、暗号キー、ＩＰアドレス、サブネットマスク、ＤＮＳのアドレス、有効時間などが含まれる。ネットワークモードには、アクセスポイントを必要とするインフラストラクチャーモードとアクセスポイントを必要としないアドホックモードがあるが、ここでは、無線デバイス１と画像投影装置３間で直接無線通信ができるようにアドホックモードに設定される。
【００６６】
ＵＳＢコネクタ１０５は、汎用のＵＳＢコネクタであり、遠隔操作装置２及びコンピュータ装置４のＵＳＢコネクタ２０１，４０１に接続することができる。ＵＳＢコネクタ１０５を遠隔操作装置２のＵＳＢコネクタ２０１又はコンピュータ装置４のＵＳＢコネクタ４０１に接続したときに、ＣＰＵ１０１は、これらの装置とのデータの送受信をＵＳＢ接続回路１０６を介して行う。ＵＳＢ接続回路１０６は、ＵＳＢ規格に準じてデータの送受信を行うためのインターフェース回路である。
【００６７】
このＵＳＢコネクタ１０５が遠隔操作装置２に接続されたとき、フラッシュメモリ１０４に遠隔操作装置２から無線設定情報を書き込み可能となるように、ＣＰＵ１０１によって制御される。また、ＵＳＢコネクタ１０５がコンピュータ装置４に接続されたとき、フラッシュメモリ１０４に書き込まれた無線設定情報をコンピュータ装置４により読み出し可能となるように、ＣＰＵ１０１により制御される。
【００６８】
無線通信部１０７は、アンテナ１１０と、ＲＦ部１１１と、ベースバンド部１１２とを有しており、無線ＬＡＮ規格に基づいてデータの送受信を行うことができる。なお、ＲＦ部１１１とベースバンド部１１２とはＷＬＡＮ（Wireless Local Area Network）チップにより構成される。
【００６９】
無線通信部１０７は、コンピュータ装置４にＵＳＢコネクタ１０５を接続したときに、遠隔操作装置２から書き込まれた無線設定情報に基づいた設定により画像投影装置３の無線部と通信を行う。ここで、遠隔操作装置２から書き込まれた無線設定情報はまずコンピュータ装置４に読み込まれ、このように読み込んだ無線設定情報をコンピュータ装置４から無線デバイス１へ送信して、無線通信部１０７をその無線設定情報に従って無線通信を行わせるようにする方式や、ＣＰＵ１０１が遠隔操作装置２から無線設定情報を読み込んで無線通信部１０７をその無線設定情報に従って無線通信を行わせる方式などがあり、ここでは、前者の方式を例に挙げて説明する。前者の方式では、ＣＰＵ１０１は、遠隔操作装置２によって書き込まれた無線設定情報をコンピュータ装置４へ出力する出力手段等として機能する。
【００７０】
操作部１０８は、画像転送停止スイッチ１４０、通信時間延長ボタン１４１やリセットボタン１４２（図３参照）などを有しており、これらのボタンが操作されると、ＣＰＵ１０１がその操作を検出し、検出した操作に応じた処理を行う。
【００７１】
画像転送停止スイッチ１４０は、画像投影装置３への画像データの送信動作の停止を指示するための画像送信停止操作部としてのスライドスイッチであり、画像停止ＯＮモードと、画像停止ＯＦＦモードとを切り替える切替スイッチである。コンピュータ装置４にＵＳＢコネクタ１０５を介して接続されている状態で、この画像転送停止スイッチ１４０が画像停止ＯＮモード側へ操作されたとき、ＣＰＵ１０１は、その旨の情報をコンピュータ装置４に通知する。コンピュータ装置４のＣＰＵ４０５は、その情報を受信すると、画像転送アプリケーションの実行により、画像投影装置３に特定画像（ここでは、黒画面画像）を投影させるための要求を無線通信部１０７を介して画像投影装置３へ送信する。
【００７２】
なお、コンピュータ装置４にＵＳＢコネクタ１０５を介して接続されている状態で、この画像転送停止スイッチ１４０が画像停止ＯＮモード側へ操作されたとき、ＣＰＵ１０１は、コンピュータ装置４から入力されるデータを画像投影装置３へ送信せずに、画像投影装置３に特定画像を投影させるための要求を無線通信部１０７を介して画像投影装置３へ送信するようにしてもよい。
【００７３】
通信時間延長ボタン１４１は、フラッシュメモリ１０４に記憶された無線設定情報のうち有効時間を変更するための操作ボタン（有効時間延長手段の一例に相当）であり、押しボタン式のスイッチである。コンピュータ装置４にＵＳＢコネクタ１０５を介して接続されている状態で、この通信時間延長ボタン１４１が操作されたとき、ＣＰＵ１０１は、画像投影装置３と無線通信するための有効時間を延長する処理を行う。この処理は、ＣＰＵ１０１によって、通信時間延長ボタン１４１が画像停止ＯＮモード側へ操作されたことをコンピュータ装置４へ通知し、このコンピュータ装置４が無線デバイス１から取り出した有効時間を延長することによって行う。つまり、コンピュータ装置４は、画像投影装置３との無線通信を行うに当たり、無線デバイス１のフラッシュメモリ１０４に書き込まれた有効時間を読み出しておき、コンピュータ装置４の記憶部に記憶しておく。このように記憶した有効時間を経過したか否かを判定する。また、この記憶した有効時間を変更することによって有効時間を延長する。
【００７４】
なお、ＣＰＵ１０１によってフラッシュメモリ１０４に記憶した無線設定情報のうち有効時間を取り出し、この有効時間に延長時間（例えば、１時間）を加算し、フラッシュメモリ１０４に記憶した有効時間を上書きすることによって有効時間の延長を行うようにしてもよい。この場合、コンピュータ装置４のＣＰＵ４０５は、有効時間が経過したかの判定を行う毎に、無線デバイス１から有効時間を読み出すことになる。
【００７５】
報知部１０９は、書き込み中ランプＬＥＤ１５０、画像転送中ランプ１５１、アラームランプ１５２（図３参照）などを有しており、ＣＰＵ１０１は、状況に応じてこれらのランプを点灯或いは点滅させる。例えば、無線設定情報がフラッシュメモリ１０４に書き込まれ中であるときには書き込み中ランプＬＥＤ１５０を点滅させる。また、コンピュータ装置４から画像投影装置３へ画像データを送信中であるときには画像転送中ランプ１５１を点滅させる。また、無線デバイス１が異常状態のときにはアラームランプ１５２を点滅させる。なお、これらのランプは、ＬＥＤなどによって構成される。
【００７６】
ここで、図６に無線デバイス１の機能ブロック図を示す。図５に示すように、無線デバイス１は、ＵＳＢインターフェース機能部１２０と、メモリコントローラ機能部１２１と、ＵＳＢハブ機能部１２２と、無線通信機能部１２３とを有している。
【００７７】
ＵＳＢインターフェース機能部１２０は、図５におけるＵＳＢコネクタ１０５及びＵＳＢ接続回路１０６に対応し、画像投影装置３やコンピュータ装置４との間でＵＳＢ規格に基づいてデータの送受信を行う。
【００７８】
メモリコントローラ機能部１２１は、図５におけるＣＰＵ１０１及びフラッシュメモリ１０４に対応し、フラッシュメモリ１０４を、無線設定情報を記憶するＵＳＢメモリとして機能させるリムーバル認識部１２４と、フラッシュメモリ１０４を、画像転送プログラムをコンピュータ装置４へ転送するためのＣＤ−ＲＯＭとして機能させるＣＤ−ＲＯＭ認識部１２５とを備えており、ＵＳＢハブ機能部１２２によって無線デバイス１を画像投影装置３やコンピュータ装置４にＵＳＢメモリ及びＣＤ−ＲＯＭとしてそれぞれ認識させるようにしている。
【００７９】
無線通信機能部１２３は、図５における無線通信部１０７に対応し、無線デバイス１のＵＳＢコネクタ１０５をコンピュータ装置４に接続したときに、コンピュータ装置４にインストールされたドライバソフトによって制御される。
【００８０】
メモリコントローラ機能部１２１は、図７に示すように、リムーバル認識部１２４及びＣＤ−ＲＯＭ認識部１２５を有する他、物理メモリ部（フラッシュメモリ１０４の一部）には、無線設定アプリケーションや画像転送アプリケーションなどの複数のアプリケーションプログラム１３０と、デバイスドライバ１３１と、インストーラプログラム１３２と、無線設定情報１３３とが記憶される。なお、物理メモリ部としてのフラッシュメモリ１０４は、一つのフラッシュメモリで構成しても複数のフラッシュメモリで構成してもよい。
【００８１】
画像転送アプリケーションは、コンピュータ装置４にインストールされることにより、コンピュータ装置４に、無線デバイス１を制御して、コンピュータ装置４からの画像データを画像投影装置３へ送信する画像送信手段として機能させるものである。また、この無線設定アプリケーションは、コンピュータ装置４にインストールされることにより、コンピュータ装置４に、無線設定情報などを無線デバイス１に設定する機能を実行させる。
【００８２】
また、デバイスドライバ１３１は、コンピュータ装置４にインストールされることにより、コンピュータ装置４に、無線デバイス１の無線通信部１０７を制御する機能を実行させるものである。
【００８３】
インストーラプログラム１３２は、コンピュータ装置４によって実行されることにより、画像転送アプリケーションやデバイスドライバ１３１をコンピュータ装置４にインストールするものである。
【００８４】
（遠隔操作装置２について）
次に、遠隔操作装置２の構成及び動作について説明する。図９は遠隔操作装置２のブロック図である。
【００８５】
遠隔操作装置２は、図９に示すように、ＵＳＢコネクタ２０１と、このＵＳＢコネクタ２０１を介して他の装置とＵＳＢ規格に基づく通信を行うＵＳＢホストコントローラ２０２と、画像投影装置３へ赤外線信号を送信する赤外線送信部２０３（ワイヤレス送信部の一例に相当）と、この赤外線送信部２０３を制御する赤外線制御部２０４と、利用者により操作される操作ボタン２０５と、この操作ボタン２０５が利用者によって操作されたことを後述のＣＰＵに通知する入力インターフェース２０６と、各種情報を表示する表示部２０７と、ワーキングメモリ等として用いられるメモリ２０８と、現時刻等を計時する計時手段である時計回路２０９と、遠隔操作装置２全体を制御するＣＰＵ２１０と、遠隔操作装置２用の制御プログラムを記憶するプログラム記憶部としての機能や無線通信部１０７を介して画像投影装置３との通信必要な無線設定情報を記憶する無線設定情報記憶部としての機能を有する２次記憶装置２１１と、を備えており、ＵＳＢホストコントローラ２０２、赤外線制御部２０４、入力インターフェース２０６、表示部２０７、メモリ２０８、時計回路２０９、ＣＰＵ２１０及び２次記憶装置２１１はバス２１６によって接続されている。
【００８６】
ＣＰＵ２１０は、２次記憶装置２１１に格納された制御プログラムを読み出して実行することによって、遠隔操作装置２の制御部として機能する。ここでは、説明の便宜上、２次記憶装置２１１を単一の記憶手段として説明しているが、複数個のメモリ（ＲＯＭやＲＡＭなど）によって構成することができる。
【００８７】
ここで、ＣＰＵ２１０は、遠隔操作装置２の制御部として、コンピュータ装置４に接続された無線デバイス１と画像投影装置３と間の無線通信に必要な無線設定情報を生成する無線設定情報生成手段、所定のタイミングで無線設定情報を無線デバイス１に書き込む無線設定情報書込手段として機能する。ここで、無線設定情報を生成（更新を含む）及び書き込みを行う契機となるタイミングは、（ａ）ＣＰＵ２１０がＵＳＢコネクタ２０１に無線デバイス１のＵＳＢコネクタ１０５が接続されたことを検出したとき、（ｂ）ＣＰＵ２１０が遠隔操作装置２に設けられた起動制御ボタン２３１が操作されたことを検出したとき、或いは（ｃ）ＣＰＵ２１０が遠隔操作装置２に設けられた更新ボタン２３２が操作されたときことを検出したときがあり、いずれを選択するのかは利用者による左右矢印キー２３４，２３５、決定キー２３６などの操作による２次記憶装置２１１への設定によって決定される。なお、（ｂ）及び（ｃ）の両方のタイミングで動作させるように設定することもできるものとする。また、無線設定情報の生成を行う契機となるタイミングを、上記（ａ）のタイミングに代えて、ＣＰＵ２１０がＵＳＢコネクタ２０１から無線デバイス１のＵＳＢコネクタ１０５が抜かれたことを検出したときとしてもよい。
【００８８】
また、ＣＰＵ２１０は、遠隔操作装置２の制御部として、無線デバイス１に書き込んだ無線設定情報を画像投影装置３へ通知する通知手段として機能する。無線設定情報を通知するタイミングとしては、（ａ）ＣＰＵ２１０が無線設定情報を更新したとき、（ｂ）ＣＰＵ２１０が遠隔操作装置２に設けられた情報送信ボタン２３７が操作されたことを検出したときなどがあり、いずれを選択するのかは利用者による左右矢印キー２３４，２３５、決定キー２３６などの操作による２次記憶装置２１１への設定によって決定される。なお、ＣＰＵ２１０は、無線設定情報の通知の際に、現時刻情報を通知する。画像投影装置３の制御部３０３は遠隔操作装置２から通知される現時刻情報に基づいて、時計回路３０５を調整する。
【００８９】
また、ＣＰＵ２１０は、遠隔操作装置２の制御部として、同一の無線設定情報を無線デバイス１に書き込むことができる書き込み回数を設定するために、操作ボタン２０５と共に書き込み回数設定手段として機能する。すなわち、無線設定情報書込手段によって無線設定情報が設定された書き込み回数を超えて書き込まれるまでは、無線設定情報の更新を行わず、設定された書き込み回数を超えたときに無線設定情報の更新を行うように制御する。例えば、ＣＰＵ２１０は、遠隔操作装置２の更新ボタンを操作している状態で無線デバイス１のＵＳＢコネクタ１０５が遠隔操作装置２のＵＳＢコネクタ２０１に接続されたときには、無線デバイス１への書き込み回数を１つ増やすようにする（図１０参照）。また、ＣＰＵ２１０は、設定された書き込み回数分の無線設定情報の更新を行ったとき、表示部２０７への警告表示や警告音出力部（図示せず）からの警告を行い、その後所定時間以内に後述の維持ボタン２３８が操作されないときに無線設定情報の更新を行う更新判定手段としての機能をも有している。
【００９０】
ここで、無線設定情報には、上述したように、無線ＬＡＮ規格種別、ネットワークモード、ネットワーク名、無線チャンネル、認証レベル、暗号化レベル、データ暗号化方式、暗号キー、ＩＰアドレス、サブネットマスク、ＤＮＳのアドレス、有効時間などが含まれる。
【００９１】
ＵＳＢコネクタ２０１には、無線デバイス１のＵＳＢコネクタ１０５を接続することができる。ＣＰＵ２１０は、無線デバイス１のＵＳＢコネクタ１０５がＵＳＢコネクタ２０１に接続されているか否かをＵＳＢホストコントローラ２０２を介して検出し、接続されている場合には、無線デバイス１とのデータの送受信を行う。
【００９２】
操作ボタン２０５は、図４に示すように、画像投影装置３において利用者が操作可能な箇所、すなわちハウジングの外壁面の適所に設けられており、利用者がこの操作ボタン２０５を操作することによって、その操作内容に応じた制御をＣＰＵ２１０が実行する。操作ボタン２０５には、上述した起動制御ボタン２３１（起動制御指示部の一例に相当）、更新ボタン２３２（更新操作部の一例に相当）、十字キー２３３、左矢印キー２３４、右矢印キー２３５、決定キー２３６、画像投影装置３へ無線設定情報を送信するための情報送信ボタン２３７、無線設定情報の更新を抑制するため更新抑制手段としての維持ボタン２３８、無線デバイス１へ無線設定情報の書き込みを行うための無線情報設定ボタン２３９などが配置されている。
【００９３】
ここで、遠隔操作装置２における無線設定情報の処理動作について、図１０〜図１２のフローチャートを参照して具体的に説明する。図１０は遠隔操作装置２における無線設定情報の処理のフローチャート、図１１は遠隔操作装置２における無線設定情報の更新処理のフローチャート、図１２は遠隔操作装置２における無線設定情報の書き込み処理のフローチャートである。
【００９４】
まず、図１０を参照して、遠隔操作装置２における無線情報設定の処理の基本的な動作の一例について説明する。この動作は、遠隔操作装置２において、無線デバイス１のＵＳＢコネクタ１０５がＵＳＢコネクタ２０１に接続されたときに無線設定情報の更新と無線設定情報の書き込みを行うように設定されており、また、情報送信ボタン２３７が操作されたときに無線設定情報を画像投影装置３へ通知するように設定されているときの動作例である。
【００９５】
図１０に示すように、遠隔操作装置２のＣＰＵ２１０は、ＵＳＢデバイスが接続されたか否かを検出する（ステップＳ１００）。すなわち、ＣＰＵ２１０は、ＵＳＢデバイスのＵＳＢコネクタがＵＳＢコネクタ２０１に挿入されたか否かを検出する。この処理において、ＵＳＢデバイスの接続を検出すると（ステップＳ１００：ＹＥＳ）、ＣＰＵ２１０は、ステップＳ１０１の処理に移行する。
【００９６】
ステップＳ１０１において、ＣＰＵ２１０は、ＵＳＢデバイスの識別情報を取得する。すなわち、ＣＰＵ２１０は、ＵＳＢコネクタ２０１を介してＵＳＢデバイスへ識別情報の送信要求を行い、この要求に応じてＵＳＢデバイスから送信される識別情報を取得する。ここでは、識別情報として、ＵＳＢデバイスに割り当てられたＭＡＣアドレスを例に挙げて説明する。
【００９７】
次に、ＣＰＵ２１０は、挿入されているＵＳＢデバイスの識別情報が無線デバイス１が保有する識別情報であるか否かを判定する（ステップＳ１０２）。ここで、識別情報であるＭＡＣアドレスは、上位２４ビットがベンダーＩＤとなっており、下位２４ビットがベンダー毎に割り当てるシリアル番号となっている。ＣＰＵ２１０は、ＵＳＢデバイスのＭＡＣアドレスが所定のベンダーＩＤであり、かつ所定のシリアル番号となっているか否かを判定することにより、ＵＳＢデバイスのＭＡＣアドレスが無線デバイス１のＭＡＣアドレスであるか否かを判定する。
【００９８】
この処理において、挿入されたＵＳＢデバイスが無線デバイス１であると判定すると（ステップＳ１０２：ＹＥＳ）、ＣＰＵ２１０は、処理をステップＳ１０３に移行する。一方、挿入されたＵＳＢデバイスが無線デバイス１ではないと判定すると（ステップＳ１０２：ＮＯ）、ＣＰＵ２１０は処理をステップＳ１００に移行する。
【００９９】
ステップＳ１０３において、ＣＰＵ２１０は、無線デバイス１が接続されてから所定時間内に維持ボタン２３８が操作されたか否かを検出する。そして、維持ボタン２３８が操作されていないと判定すると（ステップＳ１０３：ＮＯ）、ＣＰＵ２１０は、２次記憶装置２１１に記憶している無線設定情報を更新する（ステップＳ１０４）。この処理は、図１１のフローチャートに示す処理であり、後述する。
【０１００】
ステップＳ１０４の処理が終了したとき、又はステップＳ１０３において維持ボタン２３８が操作されたと判定したとき（ステップＳ１０３：ＹＥＳ）、ＣＰＵ２１０は、無線設定情報を無線デバイス１に書き込む処理を行う（ステップＳ１０５）。この処理は、図１２のフローチャートに示す処理であり、後述する。
【０１０１】
次に、ＣＰＵ２１０は、情報送信ボタン２３７が操作されたか否かを検出する（ステップＳ１０６）。ＣＰＵ２１０は、この情報送信ボタン２３７が操作されるまで、この処理を繰り返し、情報送信ボタン２３７が操作されたとき（ステップＳ１０６：ＹＥＳ）、赤外線送信部２０３から無線デバイス１へ無線設定情報を赤外線によって送信する（ステップＳ１０７）。
【０１０２】
ステップＳ１０７の処理が終了すると、ＣＰＵ２１０は、遠隔操作装置２の電源がオフであるか否かを判断する（ステップＳ１０８）。ＣＰＵ２１０は、遠隔操作装置２の電源がオフであると判定した場合には（ステップＳ１０８：ＹＥＳ）、本処理を終了する一方、電源がオフではないと判定した場合には（ステップＳ１０８：ＮＯ）、ステップＳ１００から繰り返し処理を実行することとなる。
【０１０３】
このように、ＣＰＵ２１０は、無線デバイス１に書き込んだ無線設定情報を画像投影装置３へ通知する通知手段として機能する。
【０１０４】
次に、ステップＳ１０４における無線設定情報の更新処理の詳細を図１１のフローチャートを参照して具体的に説明する。
【０１０５】
無線設定情報の更新処理を開始すると、ＣＰＵ２１０はまず、２次記憶装置２１１に記憶している無線設定情報のうち暗号キーをクリアし（ステップＳ１１０）、その後、無線設定情報のうち暗号キーを生成して（ステップＳ１１１）、ステップＳ１１２に処理を移行する。
【０１０６】
ステップＳ１１２において、ＣＰＵ２１０は、無線設定情報を２次記憶装置２１１から読み出す。ここで読み出す無線設定情報は、図８に示したように、ネットワークモード、ネットワーク名（暗号キーと有効時間を除く）などがある。ＣＰＵ２１０は、このように読み出した情報にステップＳ１０８で生成した暗号キーを加えた新たな無線設定情報を生成し、２次記憶装置２１１に記憶することによって、無線設定情報の更新を行う（ステップＳ１１３）。なお、ここでは暗号キーを更新することによって無線設定情報の更新を行うこととしたが、暗号キーに加えてその他の暗号情報（暗号レベル、データ暗号化）の更新を行ってもよい。また、これらに加え、バンド情報（ＩＥＥＥ８０２．１１ａ／ｂ／ｇ）や無線チャンネルの更新を行ってもよい。
【０１０７】
このように、ＣＰＵ２１０は、画像投影装置３とコンピュータ装置４間の無線通信に必要な無線設定情報を生成する無線設定情報生成手段として機能する。
【０１０８】
次に、ステップＳ１０５における無線設定情報の書き込み処理の詳細を図１２のフローチャートを参照して具体的に説明する。
【０１０９】
無線設定情報のき込み処理を開始すると、ＣＰＵ２１０はまず、無線デバイス１への無線設定情報の書き込み処理を開始するために、無線デバイス１へ書き込み要求を行う。この要求が無線デバイス１で受信されると、無線デバイス１のＣＰＵ２１０は、書き込み中ランプ１５０を点灯させる（ステップＳ１２０）。その後、ＣＰＵ２１０は、無線設定情報を２次記憶装置２１１から読み出す。ここで読み出す無線設定情報は、図８に示したように、ネットワークモード、ネットワーク名（有効時間を除く）などがある。その後、ＣＰＵ２１０は、時計回路２０９から現時刻の情報を取得し、さらに接続可能時間を２次記憶装置２１１から読み出す。このとき、ＣＰＵ２１０は、接続可能時間と現時刻とに基づいて、有効時間を算出する。例えば、接続可能時間が２時間であり、現時刻がＰＭ２：３０であるとすると、有効時間をＰＭ４：３０とする。また、年月日も有効時間に含める。次に、ＣＰＵは、２次記憶装置２１１から読み出した無線設定情報と生成した有効時間とを無線設定情報として無線デバイス１へ書き込む処理を開始する（ステップＳ１２１）。
【０１１０】
その後、ＣＰＵ２１０は、書き込みが終了するまで待ち（ステップＳ１２２）、この書き込みが終了すると（ステップＳ１２２：ＹＥＳ）、書き込み中ランプ１５０の消灯を無線デバイス１に要求する。この要求が無線デバイス１で受信されると、無線デバイス１のＣＰＵ１０１は、書き込み中ランプ１５０を消灯させる（ステップＳ１２３）。
【０１１１】
ところで、上述の実施形態においては、暗号キーと有効時間とを別々の情報として無線デバイス１に書き込むこととしたが、暗号キーに有効時間を埋め込むようにしてもよい。この場合、ＣＰＵ２１０は、ランダム変数を生成すると共に、２次記憶装置２１１に記憶している無線設定情報のうち接続可能時間の情報を取得し、このように取得した接続可能時間と時計回路２０９から得られた現時刻の情報と基づいて有効時間を演算する。そして、ＣＰＵ２１０は、このランダム変数と有効時間とに基づいて、暗号キーを生成する。この暗号キーが例えば１２８ｂｉｔの場合、１３文字のうち、前半７文字をランダム変数で構成し、後半６文字を有効時間の日時で構成する。このように、構成することにより、コンピュータ装置４の画像転送アプリケーションは、暗号キーにより有効時間を設定することができる。また、コンピュータ装置４のＣＰＵ４０５は、画像転送アプリケーションの実行により、暗号キーに基づいて、有効時間を検出することができる。
【０１１２】
以上のように、本実施形態における遠隔操作装置２のＣＰＵ２１０は、無線デバイス１がＵＳＢコネクタ２０１に接続されると、画像投影装置３と無線通信を行うための無線設定情報をこの無線デバイス１に書き込むようにしている。また、無線デバイス１に無線設定情報を書き込む毎に暗号キーを更新することによって、無線通信の秘匿性を向上させている。但し、維持ボタンを操作することによって、無線設定情報の更新をさせないようにして、同一の無線設定情報を複数の無線デバイス１に書き込むことができるようにしており、これにより複数のコンピュータ装置４と画像投影装置３との間で無線通信が可能となる。
【０１１３】
なお、同一の無線設定情報を複数の無線デバイス１に書き込む方法としては、同一の無線設定情報を無線デバイス１に書き込むことができる書き込み回数を設定する書き込み回数設定手段としてＣＰＵ２１０を機能させ、無線設定情報がこの書き込み回数を超えて書き込まれるまでは、無線設定情報の更新を行わないようにしてもよい。例えば、左右矢印キー２３４，２３５と決定キー２３６等によってこの書き込み回数を設定するようにしてもよい。また、無線デバイス１を遠隔操作装置２に接続した後、所定時間に更新ボタン２３２を操作した数をこの書き込み回数として設定するようにしてもよい。このように設定された書き込み回数は、２次記憶装置２１１に記憶される。このとき、ＣＰＵ２１０は、表示部２０７に書き込み回数の設定情報と実際に無線設定情報を書き込んだ無線デバイス１の数の情報とを表示するようにしてもよい。
【０１１４】
また、上記本実施形態において遠隔操作装置２は、無線デバイス１が接続されたときに、無線設定情報をこの無線デバイス１に書き込むようにしているが、起動制御ボタン２３１が操作されたときに、無線設定情報の更新を行うようにしてもよい。以下、図１３を参照して、遠隔操作装置２において起動制御ボタン２３１が操作されたときに無線設定情報の更新を行う動作の一例について説明する。図１３は遠隔操作装置２における無線設定情報の更新処理のフローチャートである。
【０１１５】
図１３に示すように、まず、遠隔操作装置２のＣＰＵ２１０は、起動制御ボタン２３１が操作されたか否かを検出する（ステップＳ１３０）。利用者によって起動制御ボタン２３１が操作されると、ＣＰＵ２１０は、この操作を検出し（ステップＳ１３０：ＹＥＳ）、画像投影装置３に停止指示であるシャットダウンコマンドを送信する（ステップＳ１３１）。画像投影装置３は、遠隔操作装置２からシャットダウンコマンドを受信すると、投影部３０８における後述の光源３２１やＬＣＤ３２３などをＯＦＦすると共に、ＣＰＵ２１０を休止状態とする。
【０１１６】
次に、ＣＰＵ２１０は、２次記憶装置２１１に記憶した無線設定情報の更新処理を行い（ステップＳ１３２）、処理をステップＳ１３３に移行する。なお、このステップＳ１３２の処理は、上述のステップＳ１０４の処理と同様であるため、説明を省略する。
【０１１７】
ステップＳ１３３において、ＣＰＵ２１０は、ステップＳ１００の処理と同様にＵＳＢデバイスが接続されたか否かを検出する。この処理において、ＵＳＢデバイスの接続を検出すると（ステップＳ１３３：ＹＥＳ）、ＣＰＵ２１０は、ステップＳ１３４の処理に移行する。
【０１１８】
ステップＳ１３４において、ＣＰＵ２１０は、ステップＳ１０１の処理と同様にＵＳＢデバイスの識別情報を取得する。その後、ＣＰＵ２１０は、ステップＳ１０２の処理と同様に挿入されているＵＳＢデバイスの識別情報が無線デバイス１が保有する識別情報であるか否かを判定する（ステップＳ１３５）。
【０１１９】
この処理において、挿入されたＵＳＢデバイスが無線デバイス１であると判定すると（ステップＳ１３５：ＹＥＳ）、ＣＰＵ２１０は、無線設定情報を無線デバイス１に書き込む処理を行う（ステップＳ１３６）。この処理は、上述のステップＳ１０５の処理と同様であるため、説明を省略する。
【０１２０】
その後、ＣＰＵ２１０は、起動制御ボタン２３１が操作されたか否かを検出する（ステップＳ１３７）。利用者によって起動制御ボタン２３１が操作されると、ＣＰＵ２１０は、この操作を検出し（ステップＳ１３７：ＹＥＳ）、画像投影装置３へ起動指示である起動コマンドを送信し（ステップＳ１３８）、さらに、赤外線送信部２０３から無線デバイス１へ無線設定情報を赤外線によって送信する（ステップＳ１３９）。
【０１２１】
なお、上述においては、画像投影装置３をシャットダウンしたときに無線設定情報を更新することとしたが、画像投影装置３を起動するときに無線設定情報を更新するようにしてもよい。この場合、例えば、ＣＰＵ２１０は、起動制御ボタン２３１が操作され、画像投影装置３を起動するときに、無線デバイス１が接続されているか否かを判定し、無線デバイス１が接続されている場合には、無線設定情報の更新を行うと共に、画像投影装置３へ起動コマンドを送信し、さらに、無線デバイス１へ無線設定情報を赤外線によって送信する。
【０１２２】
以上のように、遠隔操作装置２は、起動制御ボタンが操作されたとき、無線設定情報を更新するので、画像投影装置３の起動指示毎或いは停止指示毎に無線設定情報を更新することができ、画像投影装置３が使用される毎に無線設定情報の更新が可能となる。また、ステップＳ１３７において、ＣＰＵ２１０は、無線設定情報を書き込んだ無線デバイス１とは別の無線デバイス１が接続されたか否かを検出し、別の無線デバイス１が接続されたと判定したときに、ステップＳ１３６の処理に移行して、この別の無線デバイスに無線設定情報尾書き込むようにしてもよい。このようにすることにより、同一の無線設定情報を複数の無線デバイス１に書き込むことができる。なお、ここでの同一の無線設定情報とは、図８に示す無線設定情報のうちＩＰアドレスを除いた情報が同一であることを意味する。
【０１２３】
また、上述では、遠隔操作装置２による無線設定情報の更新を、遠隔操作装置２に無線デバイス１が接続されたとき、或いは、起動制御ボタン２３１が操作されたときとしたが、手動操作によって行うようにしてもよい。すなわち、遠隔操作装置２には、無線設定情報のうち少なくとも暗号キーを生成して更新する動作を指示する更新ボタン２３２を備えており、更新ボタン２３２が操作される毎に、無線設定情報のうち少なくとも暗号キーを生成して更新するようにしてもよい。
【０１２４】
（画像投影装置３について）
画像投影装置３は、図１４に示すように、遠隔操作装置２と赤外線通信を行う赤外線受信部３０１（ワイヤレス受信部の一例に相当）と、利用者によって各種操作を行うための制御パネル３０２と、画像投影装置３全体を制御する制御部３０３と、無線設定情報などの情報を保持するための不揮発性メモリ３０４と、計時手段である時計回路３０５と、無線ＬＡＮ規格に準拠した無線通信を行う無線部３０６と、外部から映像信号を入力する映像信号入力回路３０７と、映像信号入力回路３０７を介して入力される映像信号や無線部３０６を介して受信される画像データに基づいた画像を投影する投影部３０８とを備えており、これらはハウジングに内蔵される。
【０１２５】
赤外線受信部３０１は、遠隔操作装置２から送信された赤外線信号を受信する赤外線受光部３１０と、この赤外線受光部３１０によって受信した赤外線信号を制御部３０３に通知する赤外線制御部３１１とを有している。赤外線受光部３１０としては、赤外線ＬＥＤなどが用いられる。
【０１２６】
制御パネル３０２は、投影装置において利用者が操作可能な箇所、すなわちハウジングの外壁面の適所に設けられており、利用者がこの制御パネル３０２を操作することによって、その操作内容に応じた制御を制御部３０３が実行する。
【０１２７】
制御部３０３は、ＣＰＵ，ＲＯＭ，ＲＡＭなどを内蔵しており、ＣＰＵがＲＯＭに予め格納されたプログラムを読み出して実行することによって制御部として機能する。なお、ＲＡＭはワーキングメモリなどとして用いられる。この制御部３０３は、無線部３０６を制御してコンピュータ装置４から無線通信により送信される画像データを受信し、この受信した画像データに応じた画像を投影部３０８により投影する。また、制御部３０３は、遠隔操作装置２から赤外線受信部３０１を介して無線設定情報を受信すると、無線部３０６を動作状態にし、その後無線部３０６を介してコンピュータ装置４と無線通信中か否かを判定し、コンピュータ装置４と無線通信中ではないと判定した状態が一定状態継続したとき、無線部３０６を非動作状態にする。
【０１２８】
不揮発性メモリ３０４は、例えば、フラッシュメモリ（flash memory）などから構成され、無線設定情報などを保持する。
【０１２９】
無線部３０６は、アンテナとアンテナを介して無線信号を送受信するＲＦ（無線）ユニットなどから構成される無線回路３１２と、無線回路３１２により送受信する無線信号を無線ＬＡＮ規格に準じた無線信号とする処理を行う無線制御部３１３とを備えている。なお、ここでの無線制御部３１３は、マイクロコンピュータから構成される。
【０１３０】
映像信号入力回路３０７は、コンポジット映像信号（例えばＮＴＳＣ映像信号）やコンポーネント映像信号（例えばＲＧＢ信号）などの映像信号を外部からケーブルを介して入力するときのためのものである。
【０１３１】
投影部３０８は、ランプ駆動回路３２０と、光源３２１と、照明光学系３２２と、透過型液晶パネル３２３（以下、「ＬＣＤ３２３」とする。）と、結像光学系３２４と、画像処理回路３２５と、ＬＣＤ駆動回路３２６と、ピント調整回路３２７とを備えている。
【０１３２】
光源３２１は、ランプなどから構成され、制御部３０３によって制御されたランプ駆動回路３２０から出力される信号に基づいて、点灯駆動されて発光する。光源３２１で発光された光は、照明光学系３２２によって、照明光としてＬＣＤ３２３に照射される。
【０１３３】
画像処理回路３２５は、制御ユニットＵによる制御に基づいて、映像信号入力回路３０７に入力された映像信号或いは無線部３０６により受信した画像データに対し、信号の付加や変更などの加工を行う。このように加工されて生成された画像信号は、ＬＣＤ駆動回路３２６に入力される。
【０１３４】
ＬＣＤ３２３は、ＬＣＤ駆動回路３２６によって駆動され、その表示面に映像を表示する。このように表示された映像は、照明光学系３２２からの照明光によって、光としてＬＣＤ３２３から出射される。続いて、この出射光は、結像光学系３２４及びハウジングの投影用開口部を通って、スクリーン（投射面）に投影される。このように、ＬＣＤ３２３に表示される画像がスクリーンに投影される構成となっている。なお、ピント調整機構によって、スクリーンに投影する画像のピントを調整することができる。
【０１３５】
ここで、画像投影装置３における無線情報の設定について、図面を参照して具体的に説明する。図１５は画像投影装置３における基本的な動作の一例のフローチャートである。
【０１３６】
まず、図１５を参照して、画像投影装置３における基本的な動作の一例について説明する。
【０１３７】
図１５に示すように、画像投影装置３の制御部３０３は、遠隔操作装置２から起動コマンドを受信したか否かを判定する（ステップＳ２００）。この判定は、起動コマンドを受信するまで継続し、起動コマンドを受信したとき（ステップＳ２００：ＹＥＳ）、制御部３０３は、投影部３０８の光源３２１やＬＣＤ３２３などの動作を開始する。このとき、制御部３０３は、無線部３０６を停止した状態を維持する。
【０１３８】
次に、制御部３０３は、内部のＲＡＭに設定されている経過時間記憶領域の経過時間を初期化して０に戻して（ステップＳ２０１）、処理をステップＳ２０２に移行する。
【０１３９】
ステップＳ２０２において、制御部３０３は、遠隔操作装置２から無線設定情報を赤外線受信部３０１を介して受信したか否かを判定する。この処理において、無線設定情報を受信したと判定すると（ステップＳ２０２：ＹＥＳ）、受信した無線設定情報を不揮発性メモリ３０４に記憶すると共に、無線機能をＯＮにする（ステップＳ２０３）。すなわち、制御部３０３は、無線部３０６を動作させて、コンピュータ装置４との無線通信を可能な状態にする。その後、制御部３０３は、無線部３０６の動作が停止されるまでの間、無線部３０６を介してコンピュータ装置４から画像データを受信すると、投影部３０８を制御して受信した画像データに応じた画像をスクリーン（投影面）に投影することになる。
【０１４０】
次に、制御部３０３は、経過時間のカウントアップを開始する（ステップＳ２０４）。すなわち、制御部３０３は、経過時間記憶領域の経過時間を所定時間（例えば、１秒）毎にインクリメントする処理を開始して、ステップＳ２０５の処理に移行する。
【０１４１】
ステップＳ２０５において、制御部３０３は、経過時間記憶領域に記憶している経過時間を取得する。その後、制御部３０３は、無線部３０６とコンピュータ装置４との間で無線接続中であるか否かを判定する（ステップＳ２０６）。この処理において、無線接続中であると判定すると（ステップＳ２０６：ＹＥＳ）、制御部３０３は、経過時間記憶領域に記憶している経過時間をリセットして、０に戻す（ステップＳ２０７）。一方、無線接続中ではないと判定すると（ステップＳ２０７：ＮＯ）、制御部３０３は、経過時間記憶領域に記憶している経過時間が所定時間（例えば、１時間）を越えたか否かを判定する（ステップＳ２０８）。
【０１４２】
ステップＳ２０８において、経過時間が所定時間を超えていないと判定すると（ステップＳ２０８：ＮＯ）、制御部３０３は、処理をステップＳ２０４に戻す。一方、経過時間が所定時間を超えていると判定すると（ステップＳ２０８：ＹＥＳ）、制御部３０３は、無線機能をＯＦＦにする（ステップＳ２０９）。すなわち、制御部３０３は、無線部３０６の動作を停止して、ステップＳ２１０の処理に移行する。
【０１４３】
ステップＳ２１０において、制御部３０３は、不揮発性メモリ３０４に記憶した無線設定情報を破棄（クリア）する。
【０１４４】
ステップＳ２１０の処理が終了すると、制御部３０３は、遠隔操作装置２からシャットダウンコマンドを受信したか否かを判断する（ステップＳ２１１）。制御部３０３は、シャットダウンコマンドを受信したと判定した場合には（ステップＳ２１１：ＹＥＳ）、本処理を終了する一方、シャットダウンコマンドを受信していないと判定した場合には（ステップＳ２１１：ＮＯ）、ステップＳ２００から繰り返し処理を実行することとなる。
【０１４５】
以上のように、本実施形態における画像投影装置３の制御部３０３は、遠隔操作装置２から赤外線受信部３０１を介して無線設定情報を受信すると、無線部３０６を動作状態にし、その後無線部３０６を介してコンピュータ装置４と無線通信中か否かを判定し、コンピュータ装置４と無線通信中ではないと判定した状態が一定状態継続したとき、無線部３０６を非動作状態にする。従って、所定期間以上コンピュータ装置４と画像投影装置３との通信がないときには、一つのプレゼンテーションが終了したと判定することができるので、プレゼンテーション毎に暗号キーを変更することができることになる。
【０１４６】
なお、このように無線接続されていない時間の継続によって無線部３０６を停止させるようにしたが、無線接続されていない状態にかかわらず無線部３０６を動作させるようにしてもよい。例えば、ステップＳ２０１，ステップＳ２０４〜ステップＳ２１０の処理をせずに、ステップＳ２１１のシャットダウンコマンドを受信した後に、無線設定情報の破棄を行い（ステップＳ２１０と同様の処理）、さらに無線機能をＯＦＦ（ステップＳ２０９と同様の処理）にする。
【０１４７】
（コンピュータ装置４について）
次に、コンピュータ装置４について、図面を参照して説明する。図１６は本実施形態におけるコンピュータ装置４のブロック図である。
【０１４８】
図１６に示すように、コンピュータ装置４は、ＵＳＢコネクタ４０１と、ＵＳＢバスコントローラ４０２と、表示部であるＬＣＤ４０３と、ＬＤＣ４０３に表示させるための処理を行うグラフィックスコントローラ４０４と、コンピュータ装置４全体の制御を行うＣＰＵ４０５と、プログラムや各種パラメータを格納するメモリ４０６と、これらを接続する第１のバス４０７を備えている。
【０１４９】
さらに、コンピュータ装置４は、１０ＢＡＳＥ-Ｔや１００ＢＡＳＥ-ＴＸに対応したＬＡＮインターフェース４１０と、マウス４１１と、キーボード４１２と、ＣＤ／ＤＶＤドライブ４１３と、フロッピー（登録商標）ディスクドライブ４１４と、ハードディスク４１５と、これらを接続する第２のバス４１６を備えている。さらに、第１のバス４０７と第２のバス４１６とのデータのやり取りを制御するバスコントローラ４０８を備えている。
【０１５０】
ＵＳＢコネクタ４０１とＵＳＢバスコントローラ４０２によって、無線デバイス１や外付けキーボードなどのＵＳＢデバイスとＵＳＢ規格に基づいたデータの送受信を処理を行う。
【０１５１】
また、メモリ４０６には、オペレーティングシステム（ＯＳ）プログラムやプレゼンテーション用アプリケーションプログラムが格納されており、コンピュータ装置４の電源がオンになると、まずＣＰＵ４０５はメモリ４０６からＯＳプログラムを読み出して実行することにより、マウス４１１やキーボード４１２の入出力に関する機能や、メモリ４０６やハードディスク４１５などのメモリ管理など、コンピュータ装置４の基本的な機能を実行可能にするものである。
【０１５２】
そして、このＯＳプログラムがＣＰＵ４０５によって実行された状態で、プレゼンテーション用アプリケーションプログラムなどのコンピュータプログラムがメモリ４０６から読み出されて実行される。なお、後述のように、デバイスドライバや画像転送用アプリケーションプログラムがインストールされた場合には、これらもＣＰＵ４０５によって実行されることにより、各種の制御を行うことになる。
【０１５３】
以上のように構成されたコンピュータ装置４における無線情報設定の基本的な動作の一例について説明する。図１７は、コンピュータ装置４における無線情報設定の動作を示すフローチャートであり、コンピュータ装置４の制御部であるＣＰＵ４０５によって制御されるものである。
【０１５４】
図１７に示すように、コンピュータ装置４のＣＰＵ４０５は、無線デバイス１が接続されたか否かを判定する（ステップＳ３００）。無線デバイス１が接続されたか否かの判定は、ＵＳＢコネクタ４０１にＵＳＢデバイスが接続されたか否かを判定し、さらにＵＳＢデバイスが接続されたときに、このＵＳＢデバイスが特定の識別情報を有しているかによって判定する。
【０１５５】
この処理において、無線デバイス１が挿入されたと判定すると（ステップＳ３００：ＹＥＳ）、ＣＰＵ４０５は、オートラン動作の処理を開始する（ステップＳ３０１）。このオートラン動作処理は、図１８におけるＳ３２０〜Ｓ３２７の処理であり、後述する。
【０１５６】
オートラン動作処理が終了すると、ＣＰＵ４０５は、画像転送アプリケーションが正常に起動しているか否かを判定する（ステップＳ３０２）。この処理において、ＣＰＵ４０５は、画像転送アプリケーションが正常に起動していると判定する（ステップＳ３０２：ＹＥＳ）と、処理をステップＳ３０３に移行する。以下、ステップＳ３０３〜Ｓ３０９までの動作は、ＣＰＵ４０５が画像転送アプリケーションに従って動作することによって画像送信手段等として機能することによって実行される。
【０１５７】
ステップＳ３０３において、ＣＰＵ４０５は、ＵＳＢコネクタ４０１を介して無線デバイス１の画像転送中ランプ１５１の点灯要求を行う。この点灯要求を受けると無線デバイス１のＣＰＵ１０１は画像転送中ランプ１５１を点灯する。
【０１５８】
次に、ＣＰＵ４０５は、コンピュータ装置４の表示部であるＬＣＤ４０３に表示している画面（以下、「表示画面」とする。）に応じた画像データを画像投影装置３に送信を開始する（ステップＳ３０４）。この処理は、ＣＰＵ４０５が、表示画像のデータをＵＳＢコネクタ４０１を介して無線デバイス１へ送信し、この無線デバイス１から無線通信によって画像投影装置３へ送信されるものであり、このように送信された表示画像データを画像投影装置３が受信すると、この表示画像データに基づいた画像をスクリーンに投影することになる。
【０１５９】
このように表示画像のデータを送信している状態で、ＣＰＵ４０５は、タイムアウト処理を行う（ステップＳ３０５）。このタイムアウト処理は、図１９におけるＳ３３０〜Ｓ３３４の処理であり、後述する。
【０１６０】
このタイムアウト処理が終了すると、ＣＰＵ４０５は、有効時間を経過したか否かを判定する（ステップＳ３０６）。この判定は、後述のステップＳ３３１において有効時間を経過したとの判定と有効時間を経過していないとの判定のいずれであったかの判定である。
【０１６１】
この処理において、有効時間を経過していないと判定したとき（ステップＳ３０６：ＮＯ）、ＣＰＵ４０５は、無線デバイス１がコンピュータ装置４から抜かれたか否かを判定する（ステップＳ３０７）。この処理において、無線デバイス１がコンピュータ装置４から抜かれたと判定すると（ステップＳ３０７：ＹＥＳ）、ＣＰＵ４０５は、エラーメッセージをＬＣＤ４０３に表示して（ステップＳ３０８）、画像転送アプリケーションの実行を終了する（ステップＳ２０９）。一方、無線デバイス１がコンピュータ装置４から抜かれていないと判定すると（ステップＳ３０７：ＮＯ）、ＣＰＵ４０５は、処理をステップＳ３０５へ移行する。
【０１６２】
ステップＳ３０２において、画像転送アプリケーションが正常に動作していないとき（ステップＳ３０２：ＮＯ）、ステップＳ３０６において有効時間を経過したと判定したとき（ステップＳ３０６：ＹＥＳ）、ステップＳ３０９の処理の処理が終了したとき、ＣＰＵ４０５は、本処理を終了する。
【０１６３】
次に、ステップＳ３０１におけるオートラン動作処理について、図１８を参照して説明する。図１８はコンピュータ装置４におけるオートラン処理のフローチャートである。このオートラン動作は、無線デバイス１が接続されたときに、この無線デバイス１のＣＤ−ＲＯＭ認識部１２５の機能により、ＣＰＵ４０５が、無線デバイス１をＣＤ−ＲＯＭとして認識し、自動的に無線デバイス１の情報を読み込むことによって動作するものである。
【０１６４】
図１８に示すように、ＣＰＵ４０５は、自コンピュータ装置４にデバイスドライバ１３１がインストールされていないか否かを判定する（ステップＳ３２０）。この処理において、デバイスドライバ１３１がインストールされていないと判定すると（ステップＳ３２０：ＹＥＳ）、ＣＰＵ４０５は、無線デバイス１のフラッシュメモリ１０４に記憶されている無線通信部１０７制御用のデバイスドライバ１３１をＵＳＢコネクタ４０１を介して読み出し、自コンピュータ装置４に対してこのデバイスドライバ１３１のインストール処理を施す（ステップＳ３２１）。
【０１６５】
ステップＳ３２１の処理が終了したとき、或いは、ステップＳ３２０において、デバイスドライバがインストールされていると判定したとき（ステップＳ３２０：ＮＯ）、ＣＰＵ４０５は、無線設定アプリケーションを起動して（ステップＳ３２２）、無線デバイス１に保持されている無線設定情報をＵＳＢコネクタ４０１を介して読み出す（ステップＳ３２３）。
【０１６６】
次に、ＣＰＵ４０５は、無線設定アプリケーションの実行により、ＷＬＡＮ（無線ＬＡＮ）のネットワークの設定を行う（ステップＳ３２４）。このネットワーク設定は、無線デバイス１に対して行うものである。すなわち、ＣＰＵ４０５は、ＵＳＢコネクタ４０１を介して、無線デバイス１に無線設定情報を送信し、無線デバイス１はこの無線設定情報に従ってＷＬＡＮのネットワークの設定を行う。ＷＬＡＮのネットワークの設定には、ＬＡＮ通信を行うためのＩＰアドレス、サブネットマスク、ＤＮＳのＩＰアドレスなどのＩＰネットワークの設定と、ネットワーク名や暗号キーなど無線通信に必要な情報の設定とがある。
【０１６７】
ステップＳ３２４の処理が終了すると、ＣＰＵ４０５は、画像投影装置３との無線通信が無線デバイス１を介して接続されているか否か、言い換えれば画像投影装置３とネットワーク接続がされているか否かを判定する（ステップＳ３２５）。この処理において、画像投影装置３とのネットワーク接続が行われていると判定すると（ステップＳ３２５：ＹＥＳ）、ＣＰＵ４０５は、画像転送アプリケーションを起動する（ステップＳ３２６）。一方、画像投影装置３とのネットワーク接続が行われていないと判定すると（ステップＳ３２５：ＮＯ）、ＣＰＵ４０５は、エラーメッセージ表示処理を行う（ステップＳ３２７）。このエラーメッセージ表示処理は、ＣＰＵ４０５がＬＣＤ４０３にエラーメッセージを表示することによって行われる。
【０１６８】
ステップＳ３２６の処理、又はステップＳ３２７の処理が終了すると、本オートラン動作処理を終了する。
【０１６９】
なお、コンピュータ装置４のＣＰＵ４０５は、無線デバイス１の電源制御を行うようにしている。すなわち、無線デバイス１は、上述のようにメモリコントローラ機能部１２１と無線通信機能部１２３とを有しており、これらの電源をそれぞれ別々にＯＮ，ＯＦＦ制御できるようにしている。このようにメモリコントローラ機能部１２１と無線通信機能部１２３と個別にＯＮ，ＯＦＦすることできるので、ＵＳＢデバイスとしての限られた電力の範囲内で、信頼性の高い無線接続動作を実行することができる。例えば、ステップＳ３２０〜Ｓ３２３においては、メモリコントローラ機能部１２１への電源をＯＮにし、無線通信機能部１２３への電源はＯＦＦにする。また、ステップＳ３２４〜Ｓ３２７においては、メモリコントローラ機能部１２１への電源をＯＦＦにし、無線通信機能部１２３への電源はＯＮにするのである。また、無線デバイス１の記憶部に格納された画像転送アプリケーションをコンピュータ装置４のハードディスク４１５にコピーする場合には、メモリコントローラ機能部１２１への電源をＯＮにし、無線通信機能部１２３への電源はＯＦＦにする。
【０１７０】
次に、ステップＳ３０５におけるタイムアウト処理について、図１９を参照して説明する。図１９はコンピュータ装置４におけるタイムアウト処理のフローチャートである。
【０１７１】
このタイムアウト処理において、ＣＰＵ４０５は、まず画像投影装置３に対して時刻情報（現時刻の情報）を要求し、この要求に対して画像投影装置３から送信される時刻情報を取得して（ステップＳ３３０）、処理をステップＳ３３１へ移行する。なお、上述のように遠隔操作装置２の現時刻情報と画像投影装置３の現時刻情報とは同期が取れている。
【０１７２】
ステップＳ３３１において、ＣＰＵ４０５は、有効時間が経過したか否かを判定する。有効時間が経過したか否かの判定は、画像投影装置３から取得した時刻情報と無線デバイス１から読み込んだ無線設定情報とに基づいて行う。すなわち、有効時間が経過したか否かの判定を、画像投影装置３から取得した現時刻が無線デバイス１から読み込んだ無線設定情報に含まれる有効時間よりも遅い時間であるか否かにより判定する。
【０１７３】
この処理において、有効時間を経過したと判定すると（ステップＳ３３１：ＹＥＳ）、ＣＰＵ４０５は、タイムアウトメッセージをＬＣＤ４０３に表示して（ステップＳ３３２）、画像投影装置３との無線接続を切断する（ステップＳ３３３）。画像投影装置３との無線接続の切断は、無線デバイス１に対して、ＣＰＵ４０５が、画像投影装置３との無線接続の切断の要求を送信し、無線デバイス１がこの要求に応じることによって行われる。無線接続の切断を終了すると、ＣＰＵ４０５は、画像転送アプリケーションの実行を終了する（ステップＳ３３４）。
【０１７４】
また、有効時間が経過していない場合であっても、ＣＰＵ４０５は、有効時間まで所定時間（例えば、５分）を切ったと判定すると、有効時間を経過する前に有効時間を延長するように、ＬＣＤ４０３に有効時間が迫っている旨の表示を行う。このＬＣＤ４０３への表示に代えて或いは共に、ＣＰＵ４０５は、有効時間が迫っている旨の情報を無線デバイス１を介して画像投影装置３に送信し、画像投影装置３から投影する画像に、有効時間が迫っている旨の情報をスーパーンポーズさせるようにしてもよい。
【０１７５】
ステップＳ３３１において、有効時間を経過していないと判定したとき（ステップＳ３３１：ＮＯ）、或いはステップＳ３３４の処理が終了したとき、ＣＰＵ４０５はタイムアウト処理を終了する。
【０１７６】
以上のように本実施形態の画像投影システムＳでは、無線デバイス１は、無線部３０６を有し、無線部３０６で受信される画像データに応じた画像を投影する画像投影装置３に、画像データを無線通信により送信するコンピュータ装置４の無線部として機能するものである。この無線デバイス１には、画像投影装置３及びコンピュータ装置４のいずれにも接続可能なＵＳＢコネクタ１０５と、画像投影装置３にＵＳＢコネクタ１０５を接続したときに、画像投影装置３から無線設定情報（無線通信の設定情報）を書き込み可能であり、かつコンピュータ装置４にＵＳＢコネクタ１０５を接続したときに、画像投影装置３から書き込まれた無線設定情報をコンピュータ装置４により読み出し可能なフラッシュメモリ１０４と、コンピュータ装置４にＵＳＢコネクタ１０５を接続したときに、画像投影装置３から書き込まれた無線設定情報に基づいた設定により画像投影装置３の無線部３０６と通信を行う無線通信部１０７とを備えたので、画像投影装置３によって設定された無線設定情報に基づいて、画像投影装置３とコンピュータ装置４との間の通信を行うことができ、機密性の高い無線デバイス１或いは画像投影システムＳを提供することが可能となる。
【０１７７】
（画像投影システムＳの他の実施形態）
上記実施形態においては、遠隔操作装置２から無線デバイス１への無線設定情報の書き込みをＵＳＢコネクタ１０５，２０１を介して行う例について説明したが、ここでは、画像投影システムＳの他の実施形態として、遠隔操作装置２'から無線デバイス１’へ無線設定情報の書き込みをワイヤレス信号を送受信するワイヤレス通信により行う実施形態を説明する。ここでは、ワイヤレス通信の一例として、赤外線信号を送受信する赤外線通信について説明する。また、上記実施形態においては、遠隔操作装置２に無線デバイス１が接続されたとき或いは遠隔操作装置２の起動制御ボタン２３１が操作されたときに、遠隔操作装置２において無線設定情報の更新する設定のときの動作について説明したが、ここでは、更新ボタン２３２が操作されたときに無線設定情報を更新するように設定されているときの動作について説明する。
【０１７８】
ここでは、無線デバイス１’は、図２０に示すように、赤外線受信部１１３（ワイヤレス受信部の一例に相当）を設けた無線デバイスとする。赤外線受信部１１３は、遠隔操作装置２から送信された赤外線信号を受信する赤外線受光部１１４と、この赤外線受光部１１４によって受信した赤外線信号をＣＰＵ１０１に通知する赤外線制御部１１５とを有している。無線デバイス１’は、上述のように赤外線受信部１１３を設けており、遠隔操作装置２から送信される赤外線信号の情報を赤外線受信部１１３で受信し、コンピュータ装置４に通知するように動作する。赤外線受光部１１４としては、赤外線ＬＥＤなどが用いられる。なお、ＲＯＭ１０３に格納した制御プログラムが一部異なる以外は、無線デバイス１の構成と異なることがないため、説明を省略する。また、遠隔操作装置２'についても、２次記憶装置２１１に記憶した制御プログラムが一部異なる以外は、遠隔操作装置２の構成と異なることがないため、その構成の説明は省略する。
【０１７９】
まず、遠隔操作装置２’の動作について図面を参照して具体的に説明する。図２１は、遠隔操作装置２’の動作の一例を示すフローチャートである。
【０１８０】
図２１に示すように、まず遠隔操作装置２’のＣＰＵ２１０は、ＩＤ発行コマンドが検出されたか否かを判定する（ステップＳ１４０）。ここで、ＩＤ発行コマンドが検出されたか否かは、ＣＰＵ２１０が更新ボタン２３２（図４参照）を検出したか否かによって判定する。
【０１８１】
ステップＳ１４０において、ＩＤ発行コマンドを検出すると、ＣＰＵ２１０は、無線設定情報の更新を行う（ステップＳ１４１）。この処理は、図１１のフローチャートに示す処理と同様の処理である。
【０１８２】
次に、ＣＰＵ２１０は、表示部２０７を制御してＩＤ発行許可数の設定を促すための表示を行う。利用者は、この表示部２０７の表示に従い、左右矢印キー２３４，２３５や決定キー２３６などを操作して、ＩＤ発行許可数の設定を行う。このＩＤ発行許可数の設定は、ＣＰＵ２１０によって２次記憶装置２１１の所定領域に記憶される（ステップＳ１４２）。このように、ＣＰＵ２１０は、同一の無線設定情報をデバイスに書き込むことができる書き込み回数を設定する書き込み回数設定手段として機能する。
【０１８３】
次に、ＣＰＵ２１０は、操作部１０８に配置された無線情報設定ボタン２３９が検出されたか否かを判定する（ステップＳ１４３）。無線情報設定ボタン２３９の検出は、利用者による無線情報設定ボタン２３９の操作が行われたか否かをＣＰＵ２１０によって判定することによって行う。
【０１８４】
この処理において、無線情報設定ボタン２３９が検出されたと判定すると（ステップＳ１４３：ＹＥＳ）、ＣＰＵ２１０は、同一の無線設定情報の発行済みの数を更新する（ステップＳ１４４）。すなわち、ＣＰＵ２１０は、同一の無線設定情報発行済みの数を１つインクリメントする。この発行済みの数は、ステップＳ１４２の処理時に初期化されて“０”に設定される。
【０１８５】
次に、ＣＰＵ２１０は、無線設定情報の発行済みの数がステップＳ１４２で設定された発行許可数を超えているか否かを判定する（ステップＳ１４５）。この処理において、無線設定情報の発行済みの数が発行許可数を超えていないと判定すると（ステップＳ１４５：ＮＯ）、ＣＰＵ２１０は、２次記憶装置２１１に記憶されている無線設定情報を取り出し、この無線設定情報を無線デバイス１’に対して赤外線送信部２０３から赤外線信号として送信する（ステップＳ１４６）。このようにＣＰＵ２１０は、２次記憶装置２１１に設定された発行許可数（書き込み回数）を超えて書き込まれるまでは、無線設定情報の更新を行わずない。一方、発行済みのＩＤ数がＩＤ発行許可数を超えていると判定すると（ステップＳ１４５：ＹＥＳ）、ＣＰＵ２１０は、ＣＰＵ２１０は、２次記憶装置２１１に記憶されている無線設定情報を破棄（クリア）して（ステップＳ１４７）、無線デバイス１’に対して、無線設定情報の送信が発行許可数になった旨の情報である設定許可数超えの通知を送信する（ステップＳ１４８）。なお、ステップＳ１４６〜Ｓ１４８の送信は、ＣＰＵ２１０がこれらの情報を赤外線送信部２０３から赤外線信号として送信することによって行う。
【０１８６】
このように、遠隔操作装置２’は、設定された発行許可数を超えるまでは、無線情報設定ボタン２３９を操作する毎に無線設定情報の送信を行うようにしているため、無線デバイス１’を接続した複数のコンピュータ装置４に対して、それぞれ無線設定情報を書き込むことができる。
【０１８７】
次に、無線デバイス１’を接続したコンピュータ装置４’の動作について図面を参照して具体的に説明する。図２２は、コンピュータ装置４’の動作の一例を示すフローチャートである。なお、図２２におけるステップＳ３４０〜Ｓ３４９の処理は、図１７におけるステップＳ３００〜Ｓ３０９の処理と同等であるため、Ｓ３５０〜Ｓ３５４についてのみ説明する。なお、ステップＳ３４２において、画像転送アプリケーションが正常に起動しているか否かは、無線設定情報が設定されて、画像転送アプリケーションによって画像投影装置３に対して画像データが転送することができる状態になっているか否かで判断する。
【０１８８】
ステップＳ３４２において、ＣＰＵ４０５は、画像転送アプリケーションが正常に起動していないと判定する（ステップＳ３４２：ＮＯ）と、遠隔操作装置２からの赤外線信号が無線デバイス１の赤外線受信部１１３により受信されたか否かを判定する（ステップＳ３５０）。
【０１８９】
この処理において、赤外線信号を受信したと判定すると（ステップＳ３５０：ＹＥＳ）、ＣＰＵ４０５は、その赤外線信号が無線設定情報であるか否かを判定する（ステップＳ３５１）。このとき、赤外線信号が無線設定情報であると判定されると（ステップＳ３５１：ＹＥＳ）、ＣＰＵ４０５は、無線デバイス１の無線設定情報を更新する（ステップＳ３５４）。すなわち、ステップＳ３５１で受信した無線設定情報に基づいて無線デバイス１を動作させるのである。一方、赤外線信号が無線設定情報ではないと判定されると（ステップＳ３５１：ＮＯ）、ＣＰＵ４０５は、ステップＳ３５０で受信した赤外線信号が設定許可数超えの通知であるか否かを判定する（ステップＳ３５２）。
【０１９０】
ステップＳ３５２において、設定許可数超えの通知であると判定すると（ステップＳ３５２：ＹＥＳ）、ＣＰＵ４０５は、無線通信設定ができない旨のエラーメッセージを表示する（ステップＳ３５３）。
【０１９１】
ステップＳ３５３，Ｓ３５４の処理が終了したとき、ステップＳ３５０において赤外線信号を受信していないと判定したとき（ステップＳ３５０：ＮＯ）、ステップＳ３５１において赤外線信号が無線設定情報であると判定したとき（ステップＳ３５１：ＹＥＳ）、ステップＳ３５２において設定許可数超えの通知ではないと判定したとき（ステップＳ３５２：ＮＯ）、ＣＰＵ４０５は、処理をステップＳ３４２に移行する。
【０１９２】
以上、本発明の実施の形態のうちのいくつかを図面に基づいて詳細に説明したが、これらは例示であり、当業者の知識に基づいて種々の変形、改良を施した他の形態で本発明を実施することが可能である。
【０１９３】
例えば、無線デバイス１と画像投影装置３及びコンピュータ装置４との間をＵＳＢ規格に基づく通信で説明したが、これに限られず、他の通信規格により通信を行うようにしてもよい。
【０１９４】
また、無線デバイス１は、無線通信部１０７を設けることとしているが、コンピュータ装置４の無線部を用いるようにすることもでき、このようにする場合には、無線デバイス１から無線通信部１０７の機能を削除したデバイスを用いることができる。
【図面の簡単な説明】
【０１９５】
【図１】本実施形態における画像投影システムの全体構成図である。
【図２】本実施形態における画像投影システムにおける概略動作を説明するための図である。
【図３】本実施形態における無線デバイスの外観図である。
【図４】本実施形態における遠隔操作装置の外観図である。
【図５】本実施形態における無線デバイスのブロック図である。
【図６】本実施形態における無線デバイスの機能ブロック図である。
【図７】図６のメモリコントローラ機能部のブロック図である。
【図８】本実施形態における無線設定情報の例を示す図である。
【図９】本実施形態における遠隔操作装置のブロック図である。
【図１０】本実施形態における遠隔操作装置の無線設定情報の処理のフローチャートである。
【図１１】本実施形態における遠隔操作装置の無線設定情報の更新処理のフローチャートである。
【図１２】本実施形態における遠隔操作装置の無線設定情報の書き込み処理のフローチャートである。
【図１３】本実施形態における遠隔操作装置の他の無線設定情報の処理のフローチャートである。
【図１４】本実施形態における画像投影装置のブロック図である。
【図１５】本実施形態における画像投影装置の動作説明のためのフローチャートである。
【図１６】本実施形態におけるコンピュータ装置のブロック図である。
【図１７】本実施形態におけるコンピュータ装置の動作説明のためのフローチャートである。
【図１８】本実施形態におけるコンピュータ装置の動作説明のためのフローチャートである。
【図１９】本実施形態におけるコンピュータ装置の動作説明のためのフローチャートである。
【図２０】他の実施形態における遠隔操作装置のブロック図である。
【図２１】他の実施形態における遠隔操作装置の無線設定情報の処理のフローチャートである。
【図２２】他の実施形態におけるコンピュータ装置の動作説明のためのフローチャートである。
【符号の説明】
【０１９６】
１  無線デバイス
２  遠隔操作装置
３  画像投影装置
４  コンピュータ装置
１０１  無線デバイスのＣＰＵ（制御部）
１０４  無線デバイスのフラッシュメモリ（記憶部）
１０５  無線デバイスのＵＳＢコネクタ
２０１  遠隔操作装置のＵＳＢコネクタ
２０３  遠隔操作装置の赤外線送信部
２１０  遠隔操作装置のＣＰＵ（制御部）
２３１  遠隔操作装置の起動制御ボタン
３０１  画像投影装置の赤外線受信部
３０３  画像投影装置の制御部
３０６  画像投影装置の無線部
４０１  コンピュータ装置のＵＳＢコネクタ
４０５  コンピュータ装置のＣＰＵ（制御部）
【図１】
2008165007.tif 000003
【図２】
2008165007.tif 000004
【図３】
2008165007.tif 000005
【図４】
2008165007.tif 000006
【図５】
2008165007.tif 000007
【図６】
2008165007.tif 000008
【図７】
2008165007.tif 000009
【図８】
2008165007.tif 000010
【図９】
2008165007.tif 000011
【図１０】
2008165007.tif 000012
【図１１】
2008165007.tif 000013
【図１２】
2008165007.tif 000014
【図１３】
2008165007.tif 000015
【図１４】
2008165007.tif 000016
【図１５】
2008165007.tif 000017
【図１６】
2008165007.tif 000018
【図１７】
2008165007.tif 000019
【図１８】
2008165007.tif 000020
【図１９】
2008165007.tif 000021
【図２０】
2008165007.tif 000022
【図２１】
2008165007.tif 000023
【図２２】
2008165007.tif 000024